(57)【要約】  本発明の実施形態は、シングル位置決めコントローラおよび位置決め制御システムを提供する。シングル位置決めコントローラは、第1のアクセスネットワークノードまたは第1の端末デバイスに第1の位置決め測定要求を送信するように構成された送信モジュールと、第1のアクセスネットワークノードまたは第1の端末デバイスによって送信された少なくとも1つの第1の位置決め測定結果を受信するように構成された受信モジュールと、少なくとも1つの第1の位置決め測定結果に対して融合計算を実行して、第1の端末デバイスの位置情報を取得するように構成された処理モジュールとを含む。
2019501591.tif 000002
【特許請求の範囲】
【請求項１】
第1のアクセスネットワークノードに位置決め信号構成要求を送信するように構成された送信モジュールであって、前記位置決め信号構成要求が、以下の情報：位置決め信号の周波数領域位置構成情報、前記位置決め信号の時間領域位置構成情報、前記位置決め信号の周期構成情報、前記位置決め信号の電力構成情報、および位置決め信号サブフレーム内のサービス信号の構成情報のうちの少なくとも1つを備える、送信モジュールと、
前記第1のアクセスネットワークノードによって送信された位置決め信号構成フィードバックを受信するように構成された受信モジュールであって、
前記送信モジュールが、前記第1のアクセスネットワークノードに、または前記第1のアクセスネットワークノードを使用して第1の端末デバイスに、少なくとも1つのワイヤレス位置決め方法に基づく第1の位置決め測定要求を送信するようにさらに構成され、前記第1の位置決め測定要求が、前記第1の端末デバイスに対して位置決め測定を実行するための命令情報を備え、前記第1のアクセスネットワークノードが、少なくとも1つのワイヤレスネットワーク規格の少なくとも1つのアクセスネットワークノードを備え、
前記受信モジュールが、前記第1のアクセスネットワークノードによって送信されるか、または前記第1のアクセスネットワークノードを使用して前記第1の端末デバイスによって送信された、前記第1の端末デバイスに関する少なくとも1つの第1の位置決め測定結果を受信するようにさらに構成され、各々の第1の位置決め測定結果が1つのワイヤレス位置決め方法に対応する、
受信モジュールと、
前記少なくとも1つの第1の位置決め測定結果に対して融合計算を実行して、前記第1の端末デバイスの位置情報を取得するように構成された処理モジュールと
を備える、シングル位置決めコントローラ。
【請求項２】
前記送信モジュールが、前記第1のアクセスネットワークノードに、または前記第1のアクセスネットワークノードを使用して前記第1の端末デバイスに、基準信号構成状態問合せを送信するようにさらに構成され、前記基準信号構成状態問合せが、前記第1のアクセスネットワークノードまたは前記第1の端末デバイスによって構成された基準信号を問い合わせるために使用され、
前記受信モジュールが、前記第1のアクセスネットワークノードによって送信されるか、または前記第1のアクセスネットワークノードを使用して前記第1の端末デバイスによって送信された、基準信号構成状態応答を受信するようにさらに構成され、前記基準信号構成状態応答が、前記第1のアクセスネットワークノードまたは前記第1の端末デバイスによって構成された前記基準信号を備える、
請求項1に記載のシングル位置決めコントローラ。
【請求項３】
前記送信モジュールが、前記第1のアクセスネットワークノードに干渉調整構成要求を送信するようにさらに構成され、前記干渉調整構成要求が、前記第1のアクセスネットワークノード用の方式を使用して位置決め信号リソースを構成するために使用され、
前記受信モジュールが、前記第1のアクセスネットワークノードによって送信された干渉調整構成応答を受信するようにさらに構成される、
請求項1に記載のシングル位置決めコントローラ。
【請求項４】
前記送信モジュールが、前記第1のアクセスネットワークノードに、または前記第1のアクセスネットワークノードを使用して前記第1の端末デバイスに、前記少なくとも1つのワイヤレス位置決め方法に基づく前記第1の位置決め測定要求を送信する前に、前記受信モジュールが、前記第1のアクセスネットワークノードによって送信された端末デバイス位置情報要求を受信するようにさらに構成され、前記端末デバイス位置情報要求が、前記第1の端末デバイスの前記位置情報を要求するために使用される、請求項1に記載のシングル位置決めコントローラ。
【請求項５】
前記送信モジュールが、前記第1のアクセスネットワークノードを使用して前記第1の端末デバイスに、オーバーザトップOTT情報および端末モード情報の要求を送信するようにさらに構成され、
前記受信モジュールが、前記第1のアクセスネットワークノードを使用して前記第1の端末デバイスによって送信された、OTT情報および端末モード情報のフィードバックを受信するようにさらに構成される、
請求項1に記載のシングル位置決めコントローラ。
【請求項６】
前記送信モジュールが、ローカル位置決めデータベースLPDまたはクラウド位置決めデータベースCPDに第1の位置情報問合せ要求を送信するようにさらに構成され、前記第1の位置情報問合せ要求が、前記第1の端末デバイスの短時間位置情報および短時間軌跡情報または長時間位置情報および長時間軌跡情報を問い合わせるための命令情報を備え、前記LPDが、前記第1の端末デバイスの前記短時間位置情報および前記短時間軌跡情報を格納するように構成され、前記CPDが、前記第1の端末デバイスの前記長時間位置情報および前記長時間軌跡情報を格納するように構成され、
前記受信モジュールが、前記LPDによって送信された前記第1の端末デバイスの前記短時間位置情報および前記短時間軌跡情報、または前記CPDによって送信された前記第1の端末デバイスの前記長時間位置情報および前記長時間軌跡情報を受信するようにさらに構成され、前記第1の端末デバイスの前記短時間位置情報および前記短時間軌跡情報または前記長時間位置情報および前記長時間軌跡情報が、前記第1の端末デバイスの前記位置情報を取得する際に前記処理モジュールを支援するために使用される、
請求項1に記載のシングル位置決めコントローラ。
【請求項７】
前記送信モジュールが、前記処理モジュールによって取得された前記第1の端末デバイスの前記位置情報を前記LPDまたは前記CPDに送信するようにさらに構成される、請求項6に記載のシングル位置決めコントローラ。
【請求項８】
前記送信モジュールが、前記SRCによって制御されるアクセスネットワークノード内の端末デバイスの位置情報をシングルアクセスネットワークコントローラSRCに送信するようにさらに構成される、請求項1に記載のシングル位置決めコントローラ。
【請求項９】
前記送信モジュールが、前記SRCに位置決め構成問合せ要求を送信するようにさらに構成され、前記位置決め構成問合せ要求が、前記SRCによって制御される前記アクセスネットワークノードの位置決め構成情報を問い合わせるために使用され、
前記受信モジュールが、前記SRCによって制御される前記アクセスネットワークノードの、前記SRCによって送信された前記位置決め構成情報を受信するようにさらに構成され、
前記処理モジュールが、前記SRCによって制御される前記アクセスネットワークノードの前記位置決め構成情報に基づいて、前記SRCによって制御される前記アクセスネットワークノードの位置決めリソース調整情報を決定するようにさらに構成され、前記位置決めリソース調整情報が、前記SRCによって制御される前記アクセスネットワークノードの位置決めリソースを調整するために使用され、
前記送信モジュールが、前記SRCに前記位置決めリソース調整情報を送信するようにさらに構成され、
前記受信モジュールが、前記SRCによって送信された位置決めリソース調整応答を受信するようにさらに構成される、
請求項8に記載のシングル位置決めコントローラ。
【請求項１０】
前記受信モジュールが、ドライブテストの最小化MDTエンティティによって送信された第2の位置情報問合せ要求を受信するようにさらに構成され、前記第2の位置情報問合せ要求が、前記第1の端末デバイスに問い合わせるための位置情報、および前記第1の端末デバイスの前記位置情報と結び付けられたタイムスタンプ情報を備え、
前記送信モジュールが、前記第1の端末デバイスの前記位置情報、および前記第1の端末デバイスの前記位置情報と結び付けられた前記タイムスタンプ情報を前記MDTエンティティに送信するようにさらに構成される、
請求項1に記載のシングル位置決めコントローラ。
【請求項１１】
シングル位置決めコントローラSPCと、ローカル位置決めデータベースLPDと、クラウド位置決めデータベースCPDとを備える位置決め制御システムであって、
前記SPCが、
第1のアクセスネットワークノードに、または前記第1のアクセスネットワークノードを使用して第1の端末デバイスに、少なくとも1つのワイヤレス位置決め方法に基づく第1の位置決め測定要求を送信するように構成された送信モジュールであって、前記第1の位置決め測定要求が、前記第1の端末デバイスに対して位置決め測定を実行するための命令情報を備え、前記第1のアクセスネットワークノードが、少なくとも1つのワイヤレスネットワーク規格の少なくとも1つのアクセスネットワークノードを備える、送信モジュールと、
前記第1のアクセスネットワークノードによって送信されるか、または前記第1のアクセスネットワークノードを使用して前記第1の端末デバイスによって送信された、前記第1の端末デバイスに関する少なくとも1つの第1の位置決め測定結果を受信するように構成された受信モジュールであって、各々の第1の位置決め測定結果が1つのワイヤレス位置決め方法に対応する、受信モジュールと、
前記少なくとも1つの第1の位置決め測定結果に対して融合計算を実行して、前記第1の端末デバイスの位置情報を取得するように構成された処理モジュールと
を備え、
前記送信モジュールが、前記処理モジュールによって取得された前記第1の端末デバイスの前記位置情報を前記LPDまたは前記CPDに送信するようにさらに構成され、前記LPDが、前記SPCによって送信された前記第1の端末デバイスの短時間位置情報および短時間軌跡情報を格納するように構成され、前記CPDが、前記第1の端末デバイスの長時間位置情報および長時間軌跡情報を格納するように構成される、
位置決め制御システム。
【請求項１２】
前記送信モジュールが、前記第1のアクセスネットワークノードに位置決め信号構成要求を送信するようにさらに構成され、前記位置決め信号構成要求が、以下の情報：位置決め信号の周波数領域位置構成情報、前記位置決め信号の時間領域位置構成情報、前記位置決め信号の周期構成情報、前記位置決め信号の電力構成情報、および位置決め信号サブフレーム内のサービス信号の構成情報のうちの少なくとも1つを備え、
前記受信モジュールが、前記第1のアクセスネットワークノードによって送信された位置決め信号構成フィードバックを受信するようにさらに構成される、
請求項11に記載の位置決め制御システム。
【請求項１３】
前記送信モジュールが、前記第1のアクセスネットワークノードに、または前記第1のアクセスネットワークノードを使用して前記第1の端末デバイスに、基準信号構成状態問合せを送信するようにさらに構成され、前記基準信号構成状態問合せが、前記第1のアクセスネットワークノードまたは前記第1の端末デバイスによって構成された基準信号を問い合わせるために使用され、
前記受信モジュールが、前記第1のアクセスネットワークノードによって送信されるか、または前記第1のアクセスネットワークノードを使用して前記第1の端末デバイスによって送信された、基準信号構成状態応答を受信するようにさらに構成され、前記基準信号構成状態応答が、前記第1のアクセスネットワークノードまたは前記第1の端末デバイスによって構成された前記基準信号を備える、
請求項11に記載の位置決め制御システム。
【請求項１４】
前記送信モジュールが、前記第1のアクセスネットワークノードに干渉調整構成要求を送信するようにさらに構成され、前記干渉調整構成要求が、前記第1のアクセスネットワークノード用の方式を使用して位置決め信号リソースを構成するために使用され、
前記受信モジュールが、前記第1のアクセスネットワークノードによって送信された干渉調整構成応答を受信するようにさらに構成される、
請求項11に記載の位置決め制御システム。
【請求項１５】
前記受信モジュールが、前記第1のアクセスネットワークノードに、または前記第1のアクセスネットワークノードを使用して前記第1の端末デバイスに、前記少なくとも1つのワイヤレス位置決め方法に基づく前記第1の位置決め測定要求を送信する前に、前記第1のアクセスネットワークノードによって送信された端末デバイス位置情報要求を受信するようにさらに構成され、前記端末デバイス位置情報要求が、前記第1の端末デバイスの前記位置情報を要求するために使用される、請求項11に記載の位置決め制御システム。
【請求項１６】
前記送信モジュールが、前記第1のアクセスネットワークノードを使用して前記第1の端末デバイスに、オーバーザトップOTT情報および端末モード情報の要求を送信するようにさらに構成され、
前記受信モジュールが、前記第1のアクセスネットワークノードを使用して前記第1の端末デバイスによって送信された、OTT情報および端末モード情報のフィードバックを受信するようにさらに構成される、
請求項11に記載の位置決め制御システム。
【請求項１７】
前記送信モジュールが、前記LPDまたは前記CPDに第1の位置情報問合せ要求を送信するようにさらに構成され、前記第1の位置情報問合せ要求が、前記第1の端末デバイスの前記短時間位置情報および前記短時間軌跡情報または前記長時間位置情報および前記長時間軌跡情報を問い合わせるための命令情報を備え、
前記受信モジュールが、前記LPDによって送信された前記第1の端末デバイスの前記短時間位置情報および前記短時間軌跡情報、または前記CPDによって送信された前記第1の端末デバイスの前記長時間位置情報および前記長時間軌跡情報を受信するようにさらに構成され、前記第1の端末デバイスの前記短時間位置情報および前記短時間軌跡情報または前記長時間位置情報および前記長時間軌跡情報が、前記第1の端末デバイスの前記位置情報を取得する際に前記処理モジュールを支援するために使用される、
請求項11に記載の位置決め制御システム。
【請求項１８】
前記送信モジュールが、前記SRCによって制御されるアクセスネットワークノード内の端末デバイスの位置情報をシングルアクセスネットワークコントローラSRCに送信するようにさらに構成される、請求項11に記載の位置決め制御システム。
【請求項１９】
前記送信モジュールが、前記SRCに位置決め構成問合せ要求を送信するようにさらに構成され、前記位置決め構成問合せ要求が、前記SRCによって制御される前記アクセスネットワークノードの位置決め構成情報を問い合わせるために使用され、
前記受信モジュールが、前記SRCによって制御される前記アクセスネットワークノードの、前記SRCによって送信された前記位置決め構成情報を受信するようにさらに構成され、
前記処理モジュールが、前記SRCによって制御される前記アクセスネットワークノードの前記位置決め構成情報に基づいて、前記SRCによって制御される前記アクセスネットワークノードの位置決めリソース調整情報を決定するようにさらに構成され、前記位置決めリソース調整情報が、前記SRCによって制御される前記アクセスネットワークノードの位置決めリソースを調整するために使用され、
前記送信モジュールが、前記SRCに前記位置決めリソース調整情報を送信するようにさらに構成され、
前記受信モジュールが、前記SRCによって送信された位置決めリソース調整応答を受信するようにさらに構成される、
請求項18に記載の位置決め制御システム。
【請求項２０】
前記受信モジュールが、ドライブテストの最小化MDTエンティティによって送信された第2の位置情報問合せ要求を受信するようにさらに構成され、前記第2の位置情報問合せ要求が、前記第1の端末デバイスに問い合わせるための位置情報、および前記第1の端末デバイスの前記位置情報と結び付けられたタイムスタンプ情報を備え、
前記送信モジュールが、前記第1の端末デバイスの前記位置情報、および前記第1の端末デバイスの前記位置情報と結び付けられた前記タイムスタンプ情報を前記MDTエンティティに送信するようにさらに構成される、
請求項11に記載の位置決め制御システム。
【請求項２１】
前記LPDが、前記第1の端末デバイスの前記短時間位置情報および前記短時間軌跡情報を前記CPDに送信するようにさらに構成され、
前記CPDが、前記第1の端末デバイスの前記短時間位置情報および前記短時間軌跡情報に基づいて、前記第1の端末デバイスの前記長時間位置情報および前記長時間軌跡情報を更新するようにさらに構成される、
請求項11に記載の位置決め制御システム。
【請求項２２】
前記CPDが、短時間位置情報および短時間軌跡情報の問合せ要求を前記LPDに送信するようにさらに構成される、請求項21に記載の位置決め制御システム。
【請求項２３】
前記LPDが、長時間位置情報および長時間軌跡情報の問合せ要求を前記CPDに送信するようにさらに構成され、
前記CPDが、前記第1の端末デバイスの前記長時間位置情報および前記長時間軌跡情報を前記LPDに送信するようにさらに構成され、
前記LPDが、前記第1の端末デバイスの前記長時間位置情報および前記長時間軌跡情報に基づいて、前記第1の端末デバイスの前記短時間位置情報および前記短時間軌跡情報を更新するようにさらに構成される、
請求項11に記載の位置決め制御システム。
【請求項２４】
前記LPDが、MDTエンティティによって送信された第2の位置情報問合せ要求を受信し、前記第2の位置情報問合せ要求が、前記第1の端末デバイスに問い合わせるための位置情報および軌跡情報、ならびに前記第1の端末デバイスの前記位置情報と結び付けられたタイムスタンプ情報を備え、前記第1の端末デバイスの前記位置情報および前記軌跡情報、ならびに前記第1の端末デバイスの前記位置情報と結び付けられた前記タイムスタンプ情報を前記MDTエンティティに送信する、ようにさらに構成される、請求項11に記載の位置決め制御システム。
【発明の詳細な説明】
【技術分野】
【０００１】
本発明の実施形態は、ワイヤレス通信技術の分野に関し、詳細には、シングル位置決めコントローラおよび位置決め制御システムに関する。
【背景技術】
【０００２】
位置決め技術は、端末の地理的位置を特定するために使用される技術である。端末の地理的位置情報を直接的または間接的に取得するために、ワイヤレス通信ネットワークのリソースが使用されてもよい。
【０００３】
ロングタームエボリューション（Long Term Evolution、LTE）システムで使用される端末位置決め方式には、主に以下のタイプ：ネットワーク支援グローバルナビゲーション衛星システム（Global Navigation Satellite System、GNSS）位置決め、観測到着時間差（Observed Time Difference of Arrival、OTDOA）位置決めなどのダウンリンク位置決め、拡張セル識別情報（Enhanced Cell Identity、e−CID）位置決め、およびアップリンク到着時間差（Uplink Time Difference of Arrival、UTDOA）位置決めなどのアップリンク位置決めが含まれる。LTEシステムで使用される端末位置決めアルゴリズムの場合、通常、端末と基地局との間の電波伝搬信号の特徴パラメータ（信号電界強度、伝搬信号の到着時間差、信号の到着方向角など）が検出されてもよく、次いで、関連する位置決めアルゴリズムに基づいてモバイル端末の幾何学的位置が推定されてもよい。
【０００４】
モバイル通信技術の継続的な発展に伴い、端末位置決めサービスに対する需要が高まっている。位置決めサービスの適用シナリオは、緊急支援の位置決め、犯罪場所の追跡、ナビゲーション、および交通規制など、多様化の傾向を呈示する。しかしながら、多様な適用シナリオにかかわらず、業界では、信頼性が高く、効果的で、迅速な位置決め方法が常に必要とされている。言い換えれば、人々は、常に、実装が容易な高精度位置決め技術を熱心に追求している。
【０００５】
位置決め技術は多様なので、位置決め技術に適用されるワイヤレスアクセス技術も多様であり、たとえば、LTEシステムにおける位置決め、ユニバーサルモバイルテレコミュニケーションシステム（Universal Mobile Telecommunications System、UMTS）システムで使用される位置決め技術、およびワイヤレスフィデリティ（Wireless Fidelity、WiFi）の位置決め技術がある。しかしながら、1つの技術では、複雑なワイヤレス環境に完全に適応することができず、シームレスな位置決めサービスカバレッジを実現することができない。さらに、位置決め精度改善の観点から、単一のワイヤレス技術の改善効果には限界がある。
【０００６】
加えて、現在の位置決め技術では、拡張サービングモバイルロケーションセンタ（Enhanced Serving Mobile Location Centre、E−SMLC）はコアネットワーク側に構成されているので、位置決め測定および位置決め情報対話の遅延は比較的大きい。これは、いくつかの遅延に敏感な位置決めサービスには受け入れられない。
【発明の概要】
【課題を解決するための手段】
【０００７】
本発明の実施形態は、位置決め性能を改善するために、シングル位置決めコントローラおよび位置決め制御システムを提供する。
【０００８】
第1の態様によれば、
第1のアクセスネットワークノードに位置決め信号構成要求を送信するように構成された送信モジュールであって、位置決め信号構成要求が、以下の情報：位置決め信号の周波数領域位置構成情報、位置決め信号の時間領域位置構成情報、位置決め信号の周期構成情報、位置決め信号の電力構成情報、および位置決め信号サブフレーム内のサービス信号の構成情報のうちの少なくとも1つを含む、送信モジュールと、
第1のアクセスネットワークノードによって送信された位置決め信号構成フィードバックを受信するように構成された受信モジュールであって、
送信モジュールが、第1のアクセスネットワークノードに、または第1のアクセスネットワークノードを使用して第1の端末デバイスに、少なくとも1つのワイヤレス位置決め方法に基づく第1の位置決め測定要求を送信するようにさらに構成され、第1の位置決め測定要求が、第1の端末デバイスに対して位置決め測定を実行するための命令情報を含み、第1のアクセスネットワークノードが、少なくとも1つのワイヤレスネットワーク規格の少なくとも1つのアクセスネットワークノードを含み、
受信モジュールが、第1のアクセスネットワークノードによって送信されるか、または第1のアクセスネットワークノードを使用して第1の端末デバイスによって送信された、第1の端末デバイスに関する少なくとも1つの第1の位置決め測定結果を受信するようにさらに構成され、各々の第1の位置決め測定結果が1つのワイヤレス位置決め方法に対応する、
受信モジュールと、
少なくとも1つの第1の位置決め測定結果に対して融合計算を実行して、第1の端末デバイスの位置情報を取得するように構成された処理モジュールと
を含む、シングル位置決めコントローラが提供される。
【０００９】
送信モジュールは、第1のアクセスネットワークノードに、または第1のアクセスネットワークノードを使用して第1の端末デバイスに、基準信号構成状態問合せを送信するようにさらに構成され、基準信号構成状態問合せは、第1のアクセスネットワークノードまたは第1の端末デバイスによって構成された基準信号を問い合わせるために使用される。
【００１０】
受信モジュールは、第1のアクセスネットワークノードによって送信されるか、または第1のアクセスネットワークノードを使用して第1の端末デバイスによって送信された、基準信号構成状態応答を受信するようにさらに構成され、基準信号構成状態応答は、第1のアクセスネットワークノードまたは第1の端末デバイスによって構成された基準信号を含む。
【００１１】
第2の態様によれば、SPC、LPD、およびCPDを含む位置決め制御システムが提供され、
SPCは、
第1のアクセスネットワークノードに、または第1のアクセスネットワークノードを使用して第1の端末デバイスに、少なくとも1つのワイヤレス位置決め方法に基づく第1の位置決め測定要求を送信するように構成された送信モジュールであって、第1の位置決め測定要求が、第1の端末デバイスに対して位置決め測定を実行するための命令情報を含み、第1のアクセスネットワークノードが、少なくとも1つのワイヤレスネットワーク規格の少なくとも1つのアクセスネットワークノードを含む、送信モジュールと、
第1のアクセスネットワークノードによって送信されるか、または第1のアクセスネットワークノードを使用して第1の端末デバイスによって送信された、第1の端末デバイスに関する少なくとも1つの第1の位置決め測定結果を受信するように構成された受信モジュールであって、各々の第1の位置決め測定結果が1つのワイヤレス位置決め方法に対応する、受信モジュールと
少なくとも1つの第1の位置決め測定結果に対して融合計算を実行して、第1の端末デバイスの位置情報を取得するように構成された処理モジュールと
を含み、
送信モジュールは、処理モジュールによって取得された第1の端末デバイスの位置情報をLPDまたはCPDに送信するようにさらに構成され、LPDは、SPCによって送信された第1の端末デバイスの短時間位置情報および短時間軌跡情報を格納するように構成され、CPDは、第1の端末デバイスの長時間位置情報および長時間軌跡情報を格納するように構成される。
【００１２】
さらに、送信モジュールは、第1のアクセスネットワークノードに干渉調整構成要求を送信するようにさらに構成され、干渉調整構成要求は、第1のアクセスネットワークノード用の方式を使用して位置決め信号リソースを構成するために使用され、
受信モジュールは、第1のアクセスネットワークノードによって送信された干渉調整構成応答を受信するようにさらに構成される。
【００１３】
さらに、受信モジュールは、送信モジュールが、第1のアクセスネットワークノードに、または第1のアクセスネットワークノードを使用して第1の端末デバイスに、少なくとも1つのワイヤレス位置決め方法に基づく第1の位置決め測定要求を送信する前に、第1のアクセスネットワークノードによって送信された端末デバイス位置情報要求を受信するようにさらに構成され、端末デバイス位置情報要求は、第1の端末デバイスの位置情報を要求するために使用される。
【００１４】
さらに、送信モジュールは、第1のアクセスネットワークノードを使用して第1の端末デバイスに、OTT情報および端末モード情報の要求を送信するようにさらに構成され、
受信モジュールは、第1のアクセスネットワークノードを使用して第1の端末デバイスによって送信された、OTT情報および端末モード情報のフィードバックを受信するようにさらに構成される。
【００１５】
さらに、送信モジュールは、LPDまたはCPDに第1の位置情報問合せ要求を送信するようにさらに構成され、第1の位置情報問合せ要求は、第1の端末デバイスの短時間位置情報および短時間軌跡情報または長時間位置情報および長時間軌跡情報を問い合わせるための命令情報を含み、LPDは、第1の端末デバイスの短時間位置情報および短時間軌跡情報を格納するように構成され、CPDは、第1の端末デバイスの長時間位置情報および長時間軌跡情報を格納するように構成され、
受信モジュールは、LPDによって送信された第1の端末デバイスの短時間位置情報および短時間軌跡情報、またはCPDによって送信された第1の端末デバイスの長時間位置情報および長時間軌跡情報を受信するようにさらに構成され、第1の端末デバイスの短時間位置情報および短時間軌跡情報または長時間位置情報および長時間軌跡情報は、第1の端末デバイスの位置情報を取得する際に処理モジュールを支援するために使用される。
【００１６】
さらに、送信モジュールは、処理モジュールによって取得された第1の端末デバイスの位置情報をLPDまたはCPDに送信するようにさらに構成される。
【００１７】
さらに、送信モジュールは、SRCによって制御されるアクセスネットワークノード内の端末デバイスの位置情報をSRCに送信するようにさらに構成される。
【００１８】
さらに、送信モジュールは、SRCに位置決め構成問合せ要求を送信するようにさらに構成され、位置決め構成問合せ要求は、SRCによって制御されるアクセスネットワークノードの位置決め構成情報を問い合わせるために使用され、
受信モジュールは、SRCによって制御されるアクセスネットワークノードの、SRCによって送信された位置決め構成情報を受信するようにさらに構成され、
処理モジュールは、SRCによって制御されるアクセスネットワークノードの位置決め構成情報に基づいて、SRCによって制御されるアクセスネットワークノードの位置決めリソース調整情報を決定するようにさらに構成され、位置決めリソース調整情報は、SRCによって制御されるアクセスネットワークノードの位置決めリソースを調整するために使用され、
送信モジュールは、SRCに位置決めリソース調整情報を送信するようにさらに構成され、
受信モジュールは、SRCによって送信された位置決めリソース調整応答を受信するようにさらに構成される。
【００１９】
さらに、受信モジュールは、MDTエンティティによって送信された第2の位置情報問合せ要求を受信するようにさらに構成され、第2の位置情報問合せ要求は、第1の端末デバイスに問い合わせるための位置情報、および第1の端末デバイスの位置情報と結び付けられたタイムスタンプ情報を含み、
送信モジュールは、第1の端末デバイスの位置情報、および第1の端末デバイスの位置情報と結び付けられたタイムスタンプ情報をMDTエンティティに送信するようにさらに構成される。
【００２０】
さらに、LPDは、第1の端末デバイスの短時間位置情報および短時間軌跡情報をCPDに送信するようにさらに構成され、
CPDは、第1の端末デバイスの短時間位置情報および短時間軌跡情報に基づいて、第1の端末デバイスの長時間位置情報および長時間軌跡情報を更新するようにさらに構成される。
【００２１】
さらに、CPDは、短時間位置情報および短時間軌跡情報の問合せ要求をLPDに送信するようにさらに構成される。
【００２２】
さらに、LPDは、長時間位置情報および長時間軌跡情報の問合せ要求をCPDに送信するようにさらに構成され、
CPDは、第1の端末デバイスの長時間位置情報および長時間軌跡情報をLPDに送信するようにさらに構成され、
LPDは、第1の端末デバイスの長時間位置情報および長時間軌跡情報に基づいて、第1の端末デバイスの短時間位置情報および短時間軌跡情報を更新するようにさらに構成される。
【００２３】
さらに、LPDは、MDTエンティティによって送信された第2の位置情報問合せ要求を受信し、第2の位置情報問合せ要求が、第1の端末デバイスに問い合わせるための位置情報および軌跡情報、ならびに第1の端末デバイスの位置情報と結び付けられたタイムスタンプ情報を含み、第1の端末デバイスの位置情報および軌跡情報、ならびに第1の端末デバイスの位置情報と結び付けられたタイムスタンプ情報をMDTエンティティに送信する、ようにさらに構成される。
【００２４】
本発明の実施形態において提供されるシングル位置決めコントローラおよび位置決め制御システムによれば、少なくとも1つのワイヤレス位置決め方法に基づく第1の位置決め測定要求が、第1のアクセスネットワークノードに、または第1のアクセスネットワークノードを使用して第1の端末デバイスに送信され、第1のアクセスネットワークノードによって送信されるか、または第1のアクセスネットワークノードを使用して第1の端末デバイスによって送信された、第1の端末デバイスに関する少なくとも1つの第1の位置決め測定結果が受信され、次いで、第1の端末デバイスの位置情報を取得するために、少なくとも1つの第1の位置決め測定結果に対して融合計算が実行される。第1の端末デバイスの位置情報は、少なくとも1つのワイヤレス位置決め方法に固有の融合演算を実行することによって取得されるので、第1の端末デバイスの位置情報を取得する間に、すべての位置決め方法の利点が利用され、その結果、第1の端末デバイスのより正確な位置情報が取得され、位置決め処理の遅延が低減される。
【００２５】
本発明の実施形態または従来技術における技術的解決策をより明確に記載するために、以下で、実施形態または従来技術を記載するために必要とされる添付図面を簡単に記載する。明らかに、以下の説明における添付図面は本発明のいくつかの実施形態を示し、当業者は、創造的な努力なしに、これらの添付図面から他の図面をさらに導出することができる。
【図面の簡単な説明】
【００２６】
【図１】モバイルネットワークの位置決めアーキテクチャの概略図である。
【図２】本発明の一実施形態による、シングル位置決めコントローラの実施形態1の概略構造図である。
【図３】本発明の一実施形態による、位置決め制御システムの概略構造図である。
【図４】SPCとアクセスネットワークノードとの間の位置決め信号構成対話のフローチャートである。
【図５】SPCとアクセスネットワークノードとの間の位置決め測定メッセージ対話のフローチャートである。
【図６】SPCとアクセスネットワークノードとの間の基準信号構成情報対話のフローチャートである。
【図７】SPCとアクセスネットワークノードとの間の干渉調整対話のフローチャートである。
【図８】SPCとアクセスネットワークノードとの間の端末位置情報取得対話のフローチャートである。
【図９】SPCと端末デバイスとの間の測定対話のフローチャートである。
【図１０】SPCと端末デバイスとの間の基準信号構成情報対話のフローチャートである。
【図１１】SPCと端末デバイスとの間のOTT情報および端末モード情報の対話のフローチャートである。
【図１２】SPCとLPDとの間の短期間の位置決め情報および軌跡情報の対話のフローチャートである。
【図１３】SPCとCPDとの間の端末位置決め結果対話のフローチャートである。
【図１４】LPDとCPDとの間の短時間の位置決め情報および軌跡情報の対話のフローチャートである。
【図１５】LPDとCPDとの間の短時間の位置決め情報および軌跡情報の対話のフローチャートである。
【図１６】SPCとSRCとの間の位置決め構成情報対話のフローチャートである。
【図１７】SPCとMDTエンティティとの間の位置決め情報対話のフローチャートである。
【図１８】LPDとMDTエンティティとの間の位置決め情報対話のフローチャートである。
【発明を実施するための形態】
【００２７】
本発明の実施形態の目的、技術的解決策、および利点をより明確にするために、以下で、本発明の実施形態における添付図面を参照して、本発明の実施形態における技術的解決策を明確かつ完全に記載する。明らかに、記載される実施形態は、本発明の実施形態のうちのいくつかであるが、すべてではない。創造的な努力なしに本発明の実施形態に基づいて、当業者によって取得されるすべての他の実施形態は、本発明の保護範囲内に入るべきである。
【００２８】
モバイル通信用グローバルシステム（Global System for Mobile Communication、GSM(登録商標)）、UMTS、およびLTEなどの複数のモバイルネットワーク規格は、LTEシステムの進化プロセスにおいて共存する。様々な規格のモバイルネットワークは、独立したアクセスネットワーク、たとえば、モバイル通信用グローバルシステム／GSM(登録商標)エボリューション用拡張データレート無線アクセスネットワーク（GSM(登録商標) EDGE Radio Access Network、GERAN）、UMTS無線アクセスネットワーク（UTRAN）、および発展型UMTS無線アクセスネットワーク（E−UTRAN）などの比較的独立したネットワークアーキテクチャを有する。
【００２９】
ネットワークがLTEシステムに進化すると、様々な規格のネットワークリソースが一緒に統合される。したがって、いくつかのネットワーク機能は、様々な規格のネットワークによってコアネットワーク側で共有される。たとえば、位置決め機能はネットワークによって共有され、様々な規格のすべてのネットワークの場合、コアネットワーク側に配置されたゲートウェイモバイルロケーションセンタ（Gateway Mobile Location Center、GMLC）を使用することにより、端末に対する位置決めが実現される必要がある。しかしながら、様々な規格のネットワークに使用される具体的な位置決め方法は異なる。
【００３０】
図1は、モバイルネットワークの位置決めアーキテクチャの概略図である。図1では、ユーザ機器（User Equipment、UE）は、同時に3つのアクセスネットワーク：GERAN、UTRAN、およびE−UTRANのカバレッジエリア内に位置する。各アクセスネットワークでは、UEに対する位置決めは、それぞれのネットワークとGMLCとの間の対話を介して実施される。
【００３１】
ネットワーク要素の接続関係が図に示されている。GERANおよびUTRANは、各々対応するモバイル切替えセンタ（Mobile Switching Center、MSC）およびサービングGPRSサポートノード（Serving GPRS Support Node、SGSN）を有し、GERANは第2世代（2G）−MSCおよび2G−SGSNに対応し、UTRANは第3世代（3G）−MSCおよび3G−SGSNに対応する。GERANおよびUTRANでは、UEに対する位置決めは、GMLCとGERANおよびUTRANに対応するMSCおよびSGSNとの間の対話を介して実施される。E−UTRANでは、モビリティ管理エンティティ（Mobility Management Entity、MME）とGMLCとの間で対話が実行される。
【００３２】
端末に対する位置決めを実施するために、GMLCはさらに、位置検索機能エンティティ（Location Retrieval Function、LRF）、緊急通話セッション制御機能（Emergency Call Session Control Function、E−CSCF）、プライベートプロファイルレジスタ（Private Profile Register、PPR）、ホーム加入者サーバ（Home Subscriber Server、HSS）、物理媒体依存（Physical Media Dependent、PMD）レイヤインターフェース、位置IMS相互作用機能（Location IMS−Interworking Function、LIMS−IWF）、オープンサービスアクセス位置サービス（Open Service Access−Location Service、OSA−LCS）、GSM(登録商標)サービス制御機能（GSM(登録商標) Service Control Function、GSM(登録商標) SCF）、外部位置サービスクライアント（External LCS client）などのネットワーク要素と対話して、端末に対する位置決めを実施する必要がある。
【００３３】
しかしながら、端末に対する位置決め中にアクセスネットワークに様々な位置決め技術が使用され、各アクセスネットワークは独立した位置決めネットワーク要素を有する。LTEシステムが一例として使用される。MMEに接続された拡張サービングモバイルロケーションセンタ（Enhanced Serving Mobile Location Centre、E−SMLC）は、サービス位置プロトコル（Service Location Protocol、SLP）を使用することにより、E−UTRANにアクセスする端末に対して位置決めを実装する。
【００３４】
図では、GERAN、UTRAN、およびE−UTRANを除くネットワーク要素は、すべてコアネットワーク側にある。したがって、ワイヤレス位置決めを実施するために必要なネットワーク要素はすべてコアネットワーク側にあることが図から分かる。GMLCは、様々な位置決め要求を処理し、要求によって必要とされる精度に基づいて、ワイヤレスネットワークの能力を呼び出して位置決め情報を取得するだけでなく、ユーザデータ管理、サービスデータ管理、加入情報管理、付加価値アプリケーションの認可、認証、および課金などの機能を含む、位置決めサービスの動作も実施する。
【００３５】
図1に示されたモバイルネットワークの位置決めアーキテクチャに基づいて、LTEシステムにおける位置決めプロセスは以下の通りである：（1）GMLCが位置決め要求を受信する。（2）GMLCが現在端末にサービスしているMMEを見つける。（3）GMLCがターゲット端末の位置決めを求める要求をMMEに送信する。（4）MMEがE−SMLCに位置決め要求を送信する。（5）E−SMLCが端末との能力対話を実行し、測定構成を実行する。E−SMLCが、端末がアクセスする基地局とも対話して、基地局側の位置決め信号構成情報を取得する。（6）E−SMLCが端末（および基地局）によって報告された位置決め測定結果を取得し、位置決め計算を実行して端末位置を取得する。（7）E−SMLCがMMEに端末位置を報告する。（8）MMEがGMLCに端末位置をフィードバックする。（9）GMLCが位置決め要求のソースエンドに端末位置をフィードバックする。
【００３６】
前述のワイヤレス位置決めプロセスでは、GMLCとMMEとの間の対話などの、コアネットワーク側での大量の対話が実行され、コアネットワーク側での対話に起因して大きな遅延がもたらされる。E−SMLCは位置決め基準信号の送信を構成する能力をもたないので、位置決めプロセスにおいて大量の対話があり、大量のシグナリングが使用される。加えて、前述のプロセスでは、シングルLTEシステムの対話のみが考慮され、LTEシステム内の端末がシステム間測定を実行し、報告を実行する位置決め方式は考慮されない。これにより、システムアーキテクチャが複雑になり、位置決め精度が限定される。
【００３７】
これに鑑みて、本発明の一実施形態は、シングル位置決めコントローラ（Single Positioning Controller、SPC）を提供する。シングル位置決めコントローラは、ワイヤレスネットワーク位置決めを実施するように構成される。加えて、シングル位置決めコントローラは、様々なアクセスネットワーク規格と互換性があり、様々なワイヤレス位置決め技術を包括的に利用する。
【００３８】
図2は、本発明の一実施形態による、シングル位置決めコントローラの実施形態1の概略構造図である。図2に示されたように、シングル位置決めコントローラは、送信モジュール21と、受信モジュール22と、処理モジュール23とを含む。
【００３９】
送信モジュール21は、第1のアクセスネットワークノードに、または第1のアクセスネットワークノードを使用して第1の端末デバイスに、少なくとも1つのワイヤレス位置決め方法に基づく第1の位置決め測定要求を送信するように構成され、第1の位置決め測定要求は、第1の端末デバイスに対して位置決め測定を実行するための命令情報を含み、第1のアクセスネットワークノードは、少なくとも1つのワイヤレスネットワーク規格の少なくとも1つのアクセスネットワークノードを含む。
【００４０】
具体的には、この実施形態において提供されるシングル位置決めコントローラは、ネットワーク上の任意の位置、たとえば、コアネットワーク側またはアクセスネットワーク側に配置されてもよい。あるいは、この実施形態において提供されるシングル位置決めコントローラは、ネットワーク上の任意のネットワーク要素デバイスに統合された機能であってもよい。しかしながら、この実施形態において提供されるシングル位置決めコントローラが、コアネットワーク側に配置されているか、またはアクセスネットワーク側の任意のネットワーク要素装置に統合されている場合、この実施形態において提供されるシングル位置決めコントローラによる位置決め処理の実施中、主な対話はアクセスネットワーク側で実施され、その結果、位置決め処理の遅延は低減される。
【００４１】
この実施形態において提供されるシングル位置決めコントローラは、送信モジュール21を含む。送信モジュール21は、個別に配置された送信機であってもよいし、送信機能を有する任意のモジュールまたは装置であってもよい。シングル位置決めコントローラが第1の端末デバイスに関する位置決め要求を受信すると、またはシングル位置決めコントローラが第1の端末デバイスに対する位置決めを積極的に開始すると、送信モジュール21は、最初に第1のアクセスネットワークノードを使用して第1の端末デバイスに第1の位置決め要求を送信するか、または送信モジュール21は、最初に第1のアクセスネットワークノードに第1の位置決め測定要求を送信する。第1のアクセスネットワークノードは、第1の端末デバイスがアクセスするアクセスネットワークノードであり、第1の位置決め測定要求は、第1の端末デバイスに対する位置決め測定を実行するための命令情報を含み、送信モジュール21は、少なくとも1つのワイヤレス位置決め方法に基づく第1の位置決め測定要求を送信する。
【００４２】
様々なタイプのアクセスネットワークに適用される位置決め方法は異なる。したがって、第1のアクセスネットワークノードに第1の位置決め測定要求を送信する間、送信モジュール21は、第1のアクセスネットワークノードのネットワークタイプに基づいて第1のアクセスネットワークノードに、アクセスネットワークノードのネットワークタイプに対応する位置決定方法が適用される第1の位置決め測定要求を送信する必要がある。第1の端末デバイスの場合、送信モジュール21は、第1の端末デバイスがアクセスするネットワークのアクセスネットワークタイプに基づいて第1の端末デバイスに、第1の端末デバイスがアクセスするネットワークのタイプに対応する位置決め方法が適用される第1の位置決め測定要求を送信することもできる。要するに、送信モジュール21によって第1のアクセスネットワークノードまたは第1の端末デバイスに送信される各々の第1の位置決め測定要求は、第1の端末デバイスに対する位置決め測定を独立して実施するために使用されることが可能である必要がある。
【００４３】
第1のアクセスネットワークノードは、端末アクセス能力を有する任意のアクセスネットワークノード、たとえば、様々な規格のネットワーク上の基地局、マイクロ基地局、およびリモート無線ユニット、またはWiFiにおけるアクセスポイント（Access Point、AP）であってもよいことに留意されたい。
【００４４】
受信モジュール22は、第1のアクセスネットワークノードによって送信されるか、または第1のアクセスネットワークノードを使用して第1の端末デバイスによって送信された、第1の端末デバイスに関する少なくとも1つの第1の位置決め測定結果を受信するように構成され、各々の第1の位置決め測定結果は1つのワイヤレス位置決め方法に対応する。
【００４５】
具体的には、第1のアクセスネットワークノードまたは第1の端末デバイスが第1の位置決め測定要求を受信した後、シングル位置決めコントローラの受信モジュール22は、第1の位置決め測定要求に対応し、第1のアクセスネットワークノードまたは第1の端末デバイスによって送信された測定結果を受信する。測定結果は、第1の位置決め測定要求に応じて、第1のアクセスネットワークノードまたは第1の端末デバイスによる直接測定を介して直接取得された、第1の端末デバイスの位置情報であってもよい。あるいは、測定結果は、位置決め測定を実行するためにシングル位置決めコントローラによって必要とされ、第1のアクセスネットワークノードまたは第1の端末デバイスが第1の位置決め測定要求を受信した後、第1のアクセスネットワークノードまたは第1の端末デバイスによってフィードバックされた情報であってもよい。
【００４６】
送信モジュール21は、少なくとも1つのワイヤレス位置決め方法に基づく第1の位置決め測定要求を第1のアクセスネットワークノードまたは第1の端末デバイスに送信するので、受信モジュール22も、少なくとも1つのワイヤレス位置決め方法に基づく第1の位置決め測定結果を受信する。
【００４７】
処理モジュール23は、少なくとも1つの第1の位置決め測定結果に対して融合計算を実行して、第1の端末デバイスの位置情報を取得するように構成される。
【００４８】
具体的には、受信モジュール22が第1のアクセスネットワークノードまたは第1の端末デバイスによって送信された第1の位置決め測定結果を受信した後、処理モジュール23は、各々の第1の位置決め測定結果に基づいて、第1の端末デバイスの1つの位置情報を決定することができる。第1の端末デバイスの複数の位置情報を取得した後、処理モジュール23は、複数の位置情報に対して融合計算を実行して、第1の端末デバイスの最終位置情報を取得することができる。第1の端末デバイスの複数の位置情報に対して融合計算を実行するために、任意のマルチデータ融合計算方法が使用されてもよい。たとえば、最終位置情報の経度および緯度の座標を取得するために、複数の位置情報の経度および緯度の座標に対して算術平均計算が実行されてもよい。あるいは、すべての位置情報の算術中心値が決定された後、各位置情報と算術中心値との間の距離に基づいて、各位置情報に対応する重みが割り当てられ、次いで、すべての位置情報と対応する重みの積に対して重み付け平均化が実行される。
【００４９】
処理モジュール23によって最終的に取得された第1の端末デバイスの位置情報は、少なくとも1つの第1の位置決め測定結果に対して融合計算を実行することによって取得され、第1の位置決め測定結果は、様々なワイヤレス位置決め方法を使用することによる測定を介して取得される。したがって、この実施形態において提供されるシングル位置決めコントローラによって取得される第1の端末デバイスの位置情報を取得する間、すべての位置決め方法の利点が利用され、その結果、第1の端末デバイスのより正確な位置情報が取得される。加えて、いくつかの規格のワイヤレスネットワークが故障しているとき、端末に対する位置決めを依然として実施することができる。
【００５０】
加えて、単独で位置決め処理を実施するために、本発明のこの実施形態において提供されるシングル位置決めコントローラはさらに、位置決め信号構成を実行する必要がある。したがって、送信モジュール21は、第1のアクセスネットワークノードに位置決め信号構成要求を送信するようにさらに構成され、位置決め信号構成要求は、以下の情報：位置決め信号の周波数領域位置構成情報、位置決め信号の時間領域位置構成情報、位置決め信号の周期構成情報、位置決め信号の電力構成情報、および位置決め信号サブフレーム内のサービス信号の構成情報のうちの少なくとも1つまたは複数を含む受信モジュール22は、第1のアクセスネットワークノードによって送信された位置決め信号構成フィードバックを受信するようにさらに構成される。
【００５１】
具体的には、第1の端末デバイスの位置情報を取得するために、本発明のこの実施形態において提供されるシングル位置決めコントローラは、第1のアクセスネットワークノードに、または第1のアクセスネットワークノードを使用して第1の端末デバイスに、第1の位置決め測定要求を送信し、第1の位置決め測定結果を受信する必要がある。第1の位置決め測定要求と第1の位置決め測定結果の両方は、新しく定義された情報である。タイムリーかつ正確な位置決めを保証するために、第1の位置決め測定要求および第1の位置決め測定結果に対して、対応する通信リソースが構成される必要がある。したがって、シングル位置決めコントローラ内の送信モジュール21が第1の位置決め測定要求を送信する前に、送信モジュール21はさらに、第1の位置決め測定要求および第1の位置決め測定結果を送信するために必要なリソース構成情報を第1のアクセスネットワークノードに通知する必要がある。リソース構成情報を受信した後、第1のアクセスネットワークノードは、対応するリソース上で、第1の位置決め測定要求を受信するか、または第1の位置決め測定結果を送信することができる。第1の位置決め測定要求および第1の位置決め測定結果は位置決め信号と総称され、位置決め信号構成要求は、以下の情報：（位置決め信号がマッピングされる特定の周波数領域リソースを構成するための）位置決め信号の周波数領域位置構成情報、（位置決め信号がマッピングされる特定の時間領域リソースを構成するための）位置決め信号の時間領域位置構成情報、位置決め信号の周期構成情報、位置決め信号の電力構成情報、および（位置決め信号サブフレーム内の共通サービス信号の時間周波数領域リソース占有を構成するための）位置決め信号サブフレーム内のサービス信号の構成情報のうちの少なくとも1つまたは複数を含む。第1のアクセスネットワークノードが位置決め信号構成要求を受信した後、受信モジュール22は、第1のアクセスネットワークノードによって送信された位置決め信号構成フィードバックをさらに受信する。この場合、シングル位置決めコントローラは、第1のアクセスネットワークノードが位置決め信号構成情報を知ったと判断することができる。
【００５２】
この実施形態において提供されるシングル位置決めコントローラによれば、少なくとも1つのワイヤレス位置決め方法に基づく第1の位置決め測定要求が、第1のアクセスネットワークノードに、または第1のアクセスネットワークノードを使用して第1の端末デバイスに送信され、第1のアクセスネットワークノードによって送信されるか、または第1のアクセスネットワークノードを使用して第1の端末デバイスによって送信された、第1の端末デバイスに関する少なくとも1つの第1の位置決め測定結果が受信され、次いで、第1の端末デバイスの位置情報を取得するために、少なくとも1つの第1の位置決め測定結果に対して融合計算が実行される。第1の端末デバイスの位置情報は、少なくとも1つのワイヤレス位置決め方法に固有の融合演算を実行することによって取得されるので、第1の端末デバイスの位置情報を取得する間に、すべての位置決め方法の利点が利用され、その結果、第1の端末デバイスのより正確な位置情報が取得され、位置決め処理の遅延が低減される。
【００５３】
図2に示された実施形態において提供されるシングル位置決めコントローラは、複数のアクセスネットワークが共存する現在のネットワークアーキテクチャにおいて、複数のワイヤレス通信規格のワイヤレス位置決め方法を包括的に利用し、それにより、ワイヤレス位置決め精度が改善される。図2に示されたシングル位置決めコントローラに基づいて、シングル位置決めコントローラに対して別の機能がさらに構成されてもよく、その結果、複数のワイヤレス通信規格のワイヤレス位置決め方法の包括的な利用に基づいて、ワイヤレス位置決め性能がさらに改善される。
【００５４】
図2に示された実施形態に基づいて、送信モジュール21は、第1のアクセスネットワークノードに、または第1のアクセスネットワークノードを使用して第1の端末デバイスに、基準信号構成状態問合せを送信するようにさらに構成され、基準信号構成状態問合せは、第1のアクセスネットワークノードまたは第1の端末デバイスによって構成された基準信号を問い合わせるために使用され、受信モジュール22は、第1のアクセスネットワークノードによって、または第1のアクセスネットワークノードを使用して第1の端末デバイスによって送信された、基準信号構成状態応答を受信するようにさらに構成され、基準信号構成状態応答は、第1のアクセスネットワークノードまたは第1の端末デバイスによって構成された基準信号を含む。
【００５５】
具体的には、シングル位置決めコントローラがワイヤレス位置決めを実行するプロセスにおいて、第1の端末デバイスによって、または第1の端末デバイスがアクセスする第1のアクセスネットワークノードによって送信される基準信号は、位置決めを支援するためにさらに必要とされる場合がある。加えて、第1の位置決め測定要求および第1の位置決め測定結果も基準信号である。この場合、第1の位置決め測定要求を送信する前に、シングル位置決めコントローラは、第1のアクセスネットワークノードまたは第1の端末デバイスによって構成された基準信号を最初に知る必要がある。したがって、送信モジュール21は、第1のアクセスネットワークノードに、または第1のアクセスネットワークノードを使用して第1の端末デバイスに、基準信号構成状態問合せをさらに送信することができる。問合せを受信した後、第1のアクセスネットワークノードまたは第1の端末デバイスは、シングル位置決めコントローラに構成された基準信号をフィードバックすることができる。受信モジュール22は、第1のアクセスネットワークノードによって、または第1のアクセスネットワークノードを使用して第1の端末デバイスによって送信された基準信号構成状態応答を受信する。
【００５６】
図2に示された実施形態に基づいて、送信モジュール21は、第1のアクセスネットワークノードに干渉調整構成要求を送信するようにさらに構成され、干渉調整構成要求は、第1のアクセスネットワークノード用の方式を使用して位置決め信号リソースを構成するために使用され、受信モジュール22は、第1のアクセスネットワークノードによって送信された干渉調整構成応答を受信するようにさらに構成される。
【００５７】
具体的には、位置決め信号などの基準信号に加えて、第1のアクセスネットワークノードおよび第1の端末デバイスはさらに、通常のサービス信号を受信および送信する必要がある。したがって、第1の端末デバイスに対して位置決めが実行されるとき、第1の端末デバイスまたは第1のアクセスネットワークノードの通常のサービス信号と干渉しないために、第1の位置決め測定要求を送信する前に、送信モジュール21は、第1のアクセスネットワークノードに干渉調整構成要求をさらに送信し、干渉調整構成要求は、位置決めに参加する各アクセスネットワークノードの信号リソース使用方式を構成する、たとえば、第1のアクセスネットワークノードが位置決め基準信号を送信するときに、第1のアクセスネットワークノードがサービス信号を送信しないように構成するために使用される。確かに、第1のアクセスネットワークノードが干渉調整構成要求を受信した後、受信モジュール22は、第1のアクセスネットワークノードによって送信された干渉調整構成応答を受信する。
【００５８】
図2に示された実施形態に基づいて、受信モジュール22は、送信モジュール21が、第1のアクセスネットワークノードに、または第1のアクセスネットワークノードを使用して第1の端末デバイスに、少なくとも1つのワイヤレス位置決め方法に基づく第1の位置決め測定要求を送信する前に、第1のアクセスネットワークノードによって送信された端末デバイス位置情報要求を受信するようにさらに構成され、端末デバイス位置情報要求は、第1の端末デバイスの位置情報を要求するために使用される。
【００５９】
言い換えれば、第1の端末デバイスに送信される第1の位置決め測定要求は、第1のアクセスネットワークノードの要求に応じて送信され、第1の端末デバイスの位置情報を取得する必要があるデバイスは、第1のアクセスネットワークノードである。確かに、ネットワーク上の任意の他のネットワーク要素は、第1の端末デバイスの位置情報を取得する必要があってもよく、シングル位置コントローラは、第1の端末デバイスの位置情報を要求するための任意のメッセージに応じて、第1の位置決め測定要求を送信することができる。
【００６０】
図2に示された実施形態に基づいて、送信モジュール21は、第1のアクセスネットワークノードを使用して第1の端末デバイスに、オーバーザトップ（Over The Top、OTT）情報および端末モード情報の要求を送信するようにさらに構成され、受信モジュール22は、第1のアクセスネットワークノードを使用して第1の端末デバイスによって送信された、OTT情報および端末モード情報のフィードバックを受信するようにさらに構成される。
【００６１】
具体的には、OTT情報は、インターネットを介してユーザに提供される様々なアプリケーションサービスである。一般に、OTT情報は、端末アプリケーション（Application、APP）内の撮影画像などの情報である。端末モード情報は、端末ヒューマンマシンインターフェースの高速レールモードなどの指定されたモード情報である。位置決めプロセスでは、様々なモードの端末が位置決め結果に影響を与えるので、シングル位置決めコントローラは、端末の端末モード情報を取得することができる。多くの現在の端末デバイスは、各々GPSなどの独立した位置決めモジュールを有しているので、シングル位置決めコントローラは、OTT情報を使用して端末の別の位置情報をさらに取得することができる。OTT情報を使用して取得された端末デバイスの前述の位置情報は、端末の別の位置情報とともに融合計算を実行するために使用されてもよく、それにより、端末デバイスの位置決め精度がさらに改善される。
【００６２】
図2に示されたシングル位置決めコントローラを使用することにより、端末に対して実行される位置決めの間、大量のプロセスデータが格納される必要がある。位置決め遅延を低減し、位置決めに必要なデータトラフィックを減少させるために、位置決めデータを格納するように、対応するデータベースがシステム内にさらに構成されてもよい。本発明の一実施形態では、ローカル位置決めデータベース（Local Positioning Database、LPD）およびクラウド位置決めデータベース（Cloud Positioning Database、CPD）の概念が提案される。SPC、LPD、およびCPDは、ともに位置決め制御システムを形成する。
【００６３】
図3は、本発明の一実施形態による、位置決め制御システムの概略構造図である。図3に示されたように、この実施形態において提供される位置決め制御システムは、SPC31と、LPD32と、CPD33とを含む。SPC31は、図2に示された実施形態におけるSPCであってもよく、SPC31は、少なくとも送信モジュール21、受信モジュール22、および処理モジュール23を含む。
【００６４】
LPD32は、アクセスネットワーク側に配置され、端末デバイスの短時間位置情報および短時間軌跡情報を格納するように構成される。CPD33は、コアネットワーク側に配置され、端末デバイスの長時間位置情報および長時間軌跡情報を格納するように構成される。端末デバイスに対する位置決めに必要な時間を短縮し、位置決め精度を改善するために、SPC31が端末デバイスに対して位置決めを実行した後はいつも、端末デバイスの位置情報がLPD32に格納されてもよく、またはSPC31は、ネットワーク上の端末デバイスの情報を周期的に収集し、収集された位置情報をLPD32に格納してもよい。全時点における端末デバイスの位置情報は、端末デバイスの軌跡情報を形成する。事前設定された時間期間の後、または特定の数の位置情報を収集した後、LPD32は端末デバイスの位置情報をCPD33に送信し、CPD33は受信された端末デバイスの位置情報を格納する。LPD32は、最新の期間に取得された端末デバイスの位置情報および軌跡情報を格納するように構成されるだけであり、最新の期間に取得された端末デバイスの位置情報および軌跡情報は、端末デバイスの短時間位置情報および短時間軌跡情報と呼ばれる。CPD33は、端末デバイスのすべての位置情報および軌跡情報を格納するように構成され、端末デバイスのすべての位置情報および軌跡情報は、端末デバイスの長時間位置情報および長時間軌跡情報と呼ばれる。LPD32は、SPC31の位置決め計算に使用され、移動軌跡、地理情報システム（Geographic Information SystemまたはGeo−Information system、GIS）、および速度情報に基づいて、位置決め結果を修正することができる。位置決め結果を取得した後、SPC31は、位置決め結果を出力して、LPD32を維持することもできる。CPD33は、ユーザの行動および習慣、ならびにサービスホットスポットに関する統計データを収集し、ビッグデータ分析を実行するように構成されてもよい。加えて、CPD33は、SPC31によって取得された位置決め情報の外部出口として使用される。
【００６５】
送信モジュール21は、LPD32またはCPD33に第1の位置情報問合せ要求を送信するようにさらに構成され、第1の位置情報問合せ要求は、第1の端末デバイスの短時間位置情報および短時間軌跡情報または長時間位置情報および長時間軌跡情報を問い合わせるための命令情報を含む。受信モジュール22は、LPD32によって送信された第1の端末デバイスの短時間位置情報および短時間軌跡情報、またはCPD33によって送信された第1の端末デバイスの長時間位置情報および長時間軌跡情報を受信するようにさらに構成され、第1の端末デバイスの短時間位置情報および短時間軌跡情報または長時間位置情報および長時間軌跡情報は、第1の端末デバイスの位置情報を取得する際に処理モジュールを支援するために使用される。
【００６６】
SPC31がLPD32またはCPD33から第1の端末デバイスの位置情報または軌跡情報を取得する必要があるとき、送信モジュール21は、LPD32またはCPD33に第1の位置情報問合せ要求を送信することができる。SPC31の受信モジュール22は、LPD32によって送信された第1の端末デバイスの短時間位置情報および短時間軌跡情報、またはCPD33によって送信された第1の端末デバイスの長時間位置情報および長時間軌跡情報を受信する。SPC31の処理モジュール23は、第1の端末デバイスの短時間位置情報および短時間軌跡情報または長時間位置情報および長時間軌跡情報の助けを借りて、第1の端末デバイスの位置情報を計算することができる。第1の端末デバイスの移動軌跡はジャンプしていない場合があるので、前述の方式は、ネットワーク要素上で発生する障害に起因する端末の位置決め中の位置決めが飛ぶ障害を回避するために使用されてもよい。たとえば、第1の端末デバイスは時点aにおいてポイントAにあり、ネットワーク要素は、時点bにおいて、第1の端末デバイスの位置情報を取得するように要求する。ネットワーク上のネットワーク要素は故障しているので、SPC31によって取得される第1の端末デバイスの位置はポイントCである。しかしながら、ポイントAとポイントCとの間の距離は、第1の端末デバイスの時点aから時点bまでの可能な最大移動距離を明らかに超えている。この場合、SPC31は、第1の端末デバイスが時点aにおいてポイントAにあるという情報に基づいて、現在の位置決め中にエラーが存在することを知ることができ、情報はLPD32またはCPD33から取得される。
【００６７】
LPD32およびCPD33を維持するために、送信モジュール21は、処理モジュール23によって取得された第1の端末デバイスの位置情報をLPD32またはCPD33に送信するようにさらに構成される。
【００６８】
各アクセスネットワークはさらに、それぞれのシングルアクセスネットワークコントローラ（Single RAN Controller、SRC）を有し、SRCは、アクセスネットワーク上のネットワーク要素デバイスおよびアクセスネットワークにアクセスする端末デバイスを管理および維持するように構成される。したがって、SPC31が端末デバイスの位置情報を取得した後、送信モジュール21は、SRCによって制御されるアクセスネットワークノード上の端末デバイスの位置情報をSRCに送信するようにさらに構成される。
【００６９】
SPC31による端末デバイスに対する位置決め中、いくつかの位置決め方法では、複数のネットワーク要素デバイス（たとえば、複数の基地局）は、1つの端末デバイスに対して測定を実行して、1つのアクセスネットワーク上の1つの端末デバイスに関する位置決め結果を取得するために使用される必要がある。アクセスネットワークでは、ネットワーク要素デバイスはすべてSRCによって管理および維持される。したがって、SPC31の送信モジュール21は、SRCに位置決め構成問合せ要求を送信するようにさらに構成され、位置決め構成問合せ要求は、SRCによって制御されるアクセスネットワークノードの位置決め構成情報を問い合わせるために使用され、受信モジュール22は、SRCによって制御されるアクセスネットワークノードの、SRCによって送信された位置決め構成情報を受信するようにさらに構成され、処理モジュール23は、SRCによって制御されるアクセスネットワークノードの位置決め構成情報に基づいて、SRCによって制御されるアクセスネットワークノードの位置決めリソース調整情報を決定するようにさらに構成され、位置決めリソース調整情報は、SRCによって制御されるアクセスネットワークノードの位置決めリソースを調整するために使用され、送信モジュール21は、SRCに位置決めリソース調整情報を送信するようにさらに構成され、受信モジュール22は、SRCによって送信された位置決めリソース調整応答を受信するようにさらに構成される。このようにして、SPC31は、SRCを使用してアクセスネットワーク上のリソースを調整することなく、すべてのアクセスネットワークノードの位置決めリソースを調整して、アクセスネットワーク上の端末デバイスに対する位置決めを実施することができる。
【００７０】
ワイヤレス通信ネットワーク上で、ネットワークの性能をテストするために、ネットワークの様々なパラメータは、ドライブテスト方式でテストされる必要がある。ドライブテストは現場でネットワークを測定するためのテスト方法であり、ドライブテスト中、ネットワークのパラメータは、特定のライン上で連続してテストされる必要がある。ドライブテストの最小化（Minimization of Drive Tests、MDT）は、一般的なドライブテスト方法である。MDT中、MDTエンティティが測定に使用される。MDT測定中、各テストポイント上で測定が実行された後、各テストポイントの位置情報および時間情報がさらに取得された後にのみ、全体的な分析を介してネットワーク性能を取得することができる。
【００７１】
したがって、SPC31の受信モジュール32は、MDTエンティティによって送信された第2の位置情報問合せ要求を受信するようにさらに構成され、第2の位置情報問合せ要求は、第1の端末デバイスに問い合わせるための位置情報、および第1の端末デバイスの位置情報と結び付けられたタイムスタンプ情報を含み、送信モジュール21は、第1の端末デバイスの位置情報、および第1の端末デバイスの位置情報と結び付けられたタイムスタンプ情報をMDTエンティティに送信するようにさらに構成される。
【００７２】
図3に示された実施形態では、LPD32は、第1の端末デバイスの短時間位置情報および短時間軌跡情報をCPD33に送信するようにさらに構成され、CPD32は、第1の端末デバイスの短時間位置情報および短時間軌跡情報に基づいて、第1の端末デバイスの長時間位置情報および長時間軌跡情報を更新するようにさらに構成される。言い換えれば、LPD32は、格納された第1の端末デバイスの短時間位置情報および短時間軌跡情報をCPD33に送信することができ、この送信プロセスは周期的なプロセスであってもよく、または、データ量が特定のしきい値に達したことをLPD32が検出したときに、第1の端末デバイスの短時間位置情報および短時間軌跡情報が送信されてもよい。CPD33の第1の端末デバイスの長時間位置情報および長時間軌跡情報は、LPD32によって送信された第1の端末デバイスの短時間位置情報および短時間軌跡情報に基づいて更新される。
【００７３】
加えて、CPD33はさらに、第1の端末デバイスの短時間位置情報および短時間軌跡情報を送信するように、LPD32に積極的に要求することができる。この場合、CPD33は、短時間位置情報および短時間軌跡情報の問合せ要求をLPD32に送信するようにさらに構成される。第1の端末デバイスの短時間位置情報および短時間軌跡情報を受信した後、LPD32は、第1の端末デバイスの短時間位置情報および短時間軌跡情報をCPD33に送信する。
【００７４】
LPD32は、長時間位置情報および長時間軌跡情報の問合せ要求をCPD33に送信するようにさらに構成され、CPD33は、第1の端末デバイスの長時間位置情報および長時間軌跡情報をLPD32に送信するようにさらに構成され、LPD32は、第1の端末デバイスの長時間位置情報および長時間軌跡情報に基づいて、第1の端末デバイスの短時間位置情報および短時間軌跡情報を更新するようにさらに構成される。
【００７５】
LPD32は、特定の時間期間内に取得された第1の端末デバイスの位置情報および軌跡情報のみを格納するので、第1の端末デバイスの位置更新プロセスが非常に長い時間期間実行されない場合、LPD32は、CPD33から第1の端末デバイスの長時間位置情報および長時間軌跡情報を取得して、第1の端末デバイスの短時間位置情報および短時間軌跡情報を更新する必要がある。
【００７６】
MDTプロセスでは、MDTエンティティは、毎回SPC31から端末デバイスの位置情報を取得し、毎回位置測定を実行するようにSPC31をトリガする。しかしながら、MDTプロセスでは、端末デバイスの位置情報は、短期間内に非常に頻繁に取得される。これは、多くの送信リソースを浪費する。LPD32は、端末デバイスの短時間位置情報および短時間軌跡情報を格納するので、MDTエンティティは、LPD32に第2の位置情報問合せ要求を送信することができ、第2の位置情報問合せ要求は、第1の端末デバイスに問い合わせるための位置情報および軌跡情報、ならびに第1の端末デバイスの位置情報と結び付けられたタイムスタンプ情報を含む。LPD32は、第1の端末デバイスの位置情報および軌跡情報、ならびに第1の端末デバイスの位置情報と結び付けられたタイムスタンプ情報をMDTエンティティに送信し、その結果、MDTエンティティはMDTプロセスを実施することができる。
【００７７】
以下で、前述の実施形態において提供されるSPCおよび位置決め制御システムの位置決めプロセスにおける対話プロセスをさらに記載するために、対話フローチャートが使用される。
【００７８】
図4は、SPCとアクセスネットワークノードとの間の位置決め信号構成対話のフローチャートである。図4に示されたように、ステップS401において、SPCは、アクセスネットワークノードに位置決め信号構成要求を送信する。位置決め信号構成要求は、以下の内容：（位置決め信号がマッピングされる特定の周波数領域リソースを構成するための）位置決め信号の周波数領域位置構成、（位置決め信号がマッピングされる特定の時間領域リソースを構成するための）位置決め信号の時間領域位置構成、位置決め信号の周期構成、位置決め信号の電力構成、および（位置決め信号サブフレーム内の共通サービス信号の時間周波数領域リソース占有を構成するための）位置決め信号サブフレーム内のサービス信号の構成のうちの1つまたは複数を含んでもよい。ステップS402において、アクセスネットワークノードは、位置決め信号構成要求に応答して、1つの確認応答情報をSPCにフィードバックする。
【００７９】
図5は、SPCとアクセスネットワークノードとの間の位置決め測定メッセージ対話のフローチャートである。図5に示されたように、ステップS501において、SPCは、ネットワーク側で測定を実行すること、たとえば、到着角（Angle of Arrival、AoA）測定またはRx−Tx時間差（Rx−Tx time difference、Rx−Tx）測定を実行することをアクセスネットワークノードに要求するために、アクセスネットワークノードに位置決め測定要求を送信する。ステップS502において、アクセスネットワークノードは位置決め測定結果をSPCに送信する。
【００８０】
図6は、SPCとアクセスネットワークノードとの間の基準信号構成情報対話のフローチャートである。図6に示されたように、ステップS601において、SPCは、アクセスネットワークノードによって現在構成されている（チャネル状態情報基準信号（Channel−State Information reference signal、CSI−RS）などの）基準信号を問い合わせるために、アクセスネットワークノードに基準信号構成状態問合せを送信する。ステップS602において、アクセスネットワークノードは基準信号構成状態をSPCに送信する。
【００８１】
図7は、SPCとアクセスネットワークノードとの間の干渉調整対話のフローチャートである。図7に示されたように、ステップS701において、SPCは、アクセスネットワークノードに干渉調整構成要求を送信する。干渉調整構成要求は、位置決めに参加する各アクセスネットワークノードの方式を使用して信号リソースを構成する、たとえば、アクセスネットワークノードが位置決め基準信号を送信するときに、アクセスネットワークノードがサービス信号を送信しないように構成するために使用される。ステップS702において、アクセスネットワークノードは干渉調整構成応答をSPCに送信する。
【００８２】
図8は、SPCとアクセスネットワークノードとの間の端末位置情報取得対話のフローチャートである。図8に示されたように、ステップS801において、SPCは、ターゲット端末に関する位置情報要求をアクセスネットワークノードに送信する。ステップS802において、アクセスネットワークノードはターゲット端末の位置情報をSPCに送信する。
【００８３】
図9は、SPCと端末デバイスとの間の測定対話のフローチャートである。図9に示されたように、ステップS901において、SPCは、端末側の到着時刻（Time of Arrival、ToA）測定もしくはRx−Tx測定、または基準信号時間差（Reference Signal Time Difference、RSTD）測定などの位置決め測定を実行するように端末に要求するために、端末に位置決め測定要求を送信する。ステップS902において、端末デバイスは位置決め測定報告をSPCに送信する。
【００８４】
図10は、SPCと端末デバイスとの間の基準信号構成情報対話のフローチャートである。図10に示されたように、ステップS1001において、SPCは、端末の（サウンディング基準信号（Sounding Reference Signal、SRS）の構成情報などの）現在のアップリンク基準信号構成情報を問い合わせるために、端末に基準信号構成状態問合せを送信する。ステップS1002において、アクセスネットワークノードは基準信号構成状態応答をSPCに送信する。
【００８５】
図11は、SPCと端末デバイスとの間のOTT情報および端末モード情報の対話のフローチャートである。図11に示されたように、ステップS1101において、SPCは、OTT情報および端末モード情報の要求を端末に送信する。OTT情報は、端末APP内の撮影画像などの情報である。端末モード情報は、端末ヒューマンマシンインターフェースの高速レールモードなどの指定されたモード情報である。ステップS1102において、端末デバイスは、OTT情報および端末モード情報のフィードバックをSPCに送信する。
【００８６】
図12は、SPCとLPDとの間の短期間の位置決め情報および軌跡情報の対話のフローチャートである。図12に示されたように、ステップS1201において、SPCは、ターゲット端末の短期間の位置決め情報および軌跡情報をSPCに通知するように、LPDに要求する。ここでの短期間の位置決め情報は、過去の時間期間内の端末の位置決め位置情報（数分または数時間の位置情報であってもよい）および端末の移動軌跡情報である。ステップS1202において、LPDは、ターゲット端末の短期間の位置決め情報および軌跡情報をSPCに送信する。ステップS1203において、SPCは、端末位置を計算し、LPDの端末位置データベースを維持するために、ターゲット端末の最終位置決め結果情報をLPDに出力する。SPCによってLPDに送信される信号は、以下の情報：端末デバイスの2次元または3次元の位置決め結果、タイムスタンプとみなすことができる位置決め結果の更新時刻、端末デバイスの速度、および位置決め精度識別子のうちの1つまたは複数を含むが、それらに限定されない。
【００８７】
加えて、LPDは、周期的に、またはイベントトリガ方式で、端末デバイスの位置情報をSPCに送信することができ、端末位置情報は、以下の情報：端末デバイスの軌跡情報であって、その情報が位置決め情報を較正するためにSPCによって使用され得る、軌跡情報と、ローカルGIS情報であって、その情報が位置決めの際にSPCを支援することができる、ローカルGIS情報のうちの1つまたは複数を含み、情報は、端末デバイスが高速道路または高速列車上にあることである。
【００８８】
加えて、CPDも、周期的に、またはイベントトリガ方式で、端末デバイスの位置情報をSPCに送信することができ、端末位置情報は、以下の情報：端末デバイスの軌跡情報であって、その情報が位置決め情報を較正するためにSPCによって使用され得る、軌跡情報と、ローカルGIS情報であって、その情報が位置決めの際にSPCを支援することができる、ローカルGIS情報のうちの1つまたは複数を含み、情報は、端末デバイスが高速道路または高速列車上にあることである。
【００８９】
図13は、SPCとCPDとの間の端末位置決め結果対話のフローチャートである。図13に示されたように、ステップS1301において、SPCは端末位置を計算し、CPDの端末位置データベースを維持するために、ターゲット端末の最終位置決め結果情報をCPDに出力する。
【００９０】
図14および図15は、LPDとCPDとの間の短時間の位置決め情報および軌跡情報の対話のフローチャートである。図14に示されたように、ステップS1401において、LPDは、最後の周期に取得された端末の短時間の位置決め情報および軌跡情報をCPDに周期的に出力する。周期はCPDによって設定されてもよい。図15に示されたように、ステップS1501において、CPDは、端末の短時間の位置決め情報および軌跡情報を出力するようにLPDに要求する。ステップS1502において、LPDは、その要求に応じて、端末の短時間の位置決め情報および軌跡情報をCPDに出力する。図14と図15との間の違いは、図14では、LPDが短時間の位置決め情報および軌跡情報をCPDに積極的に送信し、図15では、CPDが短時間の位置決め情報および軌跡情報を報告するようにLPDに要求することにある。LPDによってCPDに送信される信号は、以下の情報：端末デバイスの2次元または3次元の位置決め結果、タイムスタンプとみなすことができる位置決め結果の更新時刻、端末デバイスの速度、端末デバイスの軌跡情報、ローカルGIS情報、および位置決め精度識別子のうちの1つまたは複数を含むが、それらに限定されない。
【００９１】
加えて、CPDは、端末デバイスの軌跡情報または広域GIS情報をLPDに送信することもできる。
【００９２】
図16は、SPCとSRCとの間の位置決め構成情報対話のフローチャートである。図16に示されたように、ステップS1601において、SPCは、SRCによって制御されるアクセスネットワークノードの位置決め信号構成情報などの位置決め構成情報を送信するようにSRCに要求する。ステップS1602において、SRCは、SRCによって制御されるアクセスネットワークノードの位置決め構成情報を出力する。ステップS1603において、SPCは、アクセスネットワークノード間の位置決めリソース調整を実行するようにSRCに要求する。S1604において、SRCは位置決めリソース調整要求に応答する。S1605において、計算を介して端末位置を取得した後、SPCは、SRCに位置決め情報を出力して、SRCがネットワーク性能を最適化するのを助ける。
【００９３】
図17は、SPCとMDTエンティティとの間の位置決め情報対話のフローチャートである。図17に示されたように、ステップS1701において、MDTエンティティは、端末の位置決め情報および位置決め結果と結び付けられたタイムスタンプ情報を出力するようにSPCに要求する。ステップS1702において、SPCは、端末の位置決め情報およびタイムスタンプ情報をMDTエンティティに出力する。
【００９４】
図18は、LPDとMDTエンティティとの間の位置決め情報対話のフローチャートである。図18に示されたように、ステップS1801において、MDTエンティティは、端末の短時間の位置決め情報および軌跡情報、ならびに位置決め結果と結び付けられたタイムスタンプ情報を出力するようにLPDに要求する。ステップS1802において、LPDは、端末の短時間の位置決め情報および軌跡情報、ならびに位置決め結果と結び付けられたタイムスタンプ情報をMDTエンティティに出力する。
【００９５】
当業者は、方法実施形態のステップのうちのすべてまたはいくつかが、関連するハードウェアに命令するプログラムによって実施されてもよいことを理解することができる。プログラムはコンピュータ可読記憶媒体に記憶されてもよい。プログラムが動作すると、方法実施形態のステップが実行される。前述の記憶媒体には、ROM、RAM、磁気ディスク、または光ディスクなどの、プログラムコードを記憶することができる任意の媒体が含まれる。
【００９６】
最後に、実施形態は本発明の技術的解決策を記載するためのものにすぎず、本発明を限定するためのものではないことに留意されたい。実施形態を参照して本発明が詳細に記載されたが、当業者は、実施形態に記載された技術的解決策に対して修正をさらに行うか、またはそれらのいくつかもしくはすべての技術的特徴に対して同等の置換を行うことができることを理解するべきである。したがって、本発明の保護範囲は、特許請求の範囲の保護範囲に従うべきである。
【符号の説明】
【００９７】
21  送信モジュール
22  受信モジュール
23  処理モジュール
31  シングル位置決めコントローラ（SPC）
32  ローカル位置決めデータベース（LPD）
33  クラウド位置決めデータベース（CPD）
【図１】
2019501591.tif 000003
【図２】
2019501591.tif 000004
【図３】
2019501591.tif 000005
【図４】
2019501591.tif 000006
【図５】
2019501591.tif 000007
【図６】
2019501591.tif 000008
【図７】
2019501591.tif 000009
【図８】
2019501591.tif 000010
【図９】
2019501591.tif 000011
【図１０】
2019501591.tif 000012
【図１１】
2019501591.tif 000013
【図１２】
2019501591.tif 000014
【図１３】
2019501591.tif 000015
【図１４】
2019501591.tif 000016
【図１５】
2019501591.tif 000017
【図１６】
2019501591.tif 000018
【図１７】
2019501591.tif 000019
【図１８】
2019501591.tif 000020
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
第1のアクセスネットワークノードに位置決め信号構成要求を送信するように構成された送信モジュールであって、前記位置決め信号構成要求が、以下の情報：位置決め信号の周波数領域位置構成情報、前記位置決め信号の時間領域位置構成情報、前記位置決め信号の周期構成情報、前記位置決め信号の電力構成情報、および位置決め信号サブフレーム内のサービス信号の構成情報のうちの少なくとも1つを備える、送信モジュールと、
前記第1のアクセスネットワークノードによって送信された位置決め信号構成フィードバックを受信するように構成された受信モジュールであって、
前記送信モジュールが、前記第1のアクセスネットワークノードに、または前記第1のアクセスネットワークノードを使用して第1の端末デバイスに、少なくとも1つのワイヤレス位置決め方法に基づく第1の位置決め測定要求を送信するようにさらに構成され、前記第1の位置決め測定要求が、前記第1の端末デバイスに対して位置決め測定を実行するための命令情報を備え、前記第1のアクセスネットワークノードが、少なくとも1つの無線アクセス技術の少なくとも1つのアクセスネットワークノードを備え、
前記受信モジュールが、前記第1のアクセスネットワークノードによって送信されるか、または前記第1のアクセスネットワークノードを使用して前記第1の端末デバイスによって送信された、前記第1の端末デバイスに関する少なくとも1つの第1の位置決め測定結果を受信するようにさらに構成され、各々の第1の位置決め測定結果が1つのワイヤレス位置決め方法に対応する、
受信モジュールと、
前記少なくとも1つの第1の位置決め測定結果に対して融合計算を実行して、前記第1の端末デバイスの位置情報を取得するように構成された処理モジュールと
を備える、シングル位置決めコントローラ。
【請求項２】
前記送信モジュールが、前記第1のアクセスネットワークノードに、または前記第1のアクセスネットワークノードを使用して前記第1の端末デバイスに、基準信号構成状態問合せを送信するようにさらに構成され、前記基準信号構成状態問合せが、前記第1のアクセスネットワークノードまたは前記第1の端末デバイスによって構成された基準信号を問い合わせるために使用され、
前記受信モジュールが、前記第1のアクセスネットワークノードによって送信されるか、または前記第1のアクセスネットワークノードを使用して前記第1の端末デバイスによって送信された、基準信号構成状態応答を受信するようにさらに構成され、前記基準信号構成状態応答が、前記第1のアクセスネットワークノードまたは前記第1の端末デバイスによって構成された前記基準信号を備える、
請求項1に記載のシングル位置決めコントローラ。
【請求項３】
前記送信モジュールが、前記第1のアクセスネットワークノードに干渉調整構成要求を送信するようにさらに構成され、前記干渉調整構成要求が、前記第1のアクセスネットワークノード用の方式を使用して位置決め信号リソースを構成するために使用され、
前記受信モジュールが、前記第1のアクセスネットワークノードによって送信された干渉調整構成応答を受信するようにさらに構成される、
請求項1に記載のシングル位置決めコントローラ。
【請求項４】
前記送信モジュールが、前記第1のアクセスネットワークノードに、または前記第1のアクセスネットワークノードを使用して前記第1の端末デバイスに、前記少なくとも1つのワイヤレス位置決め方法に基づく前記第1の位置決め測定要求を送信する前に、前記受信モジュールが、前記第1のアクセスネットワークノードによって送信された端末デバイス位置情報要求を受信するようにさらに構成され、前記端末デバイス位置情報要求が、前記第1の端末デバイスの前記位置情報を要求するために使用される、請求項1に記載のシングル位置決めコントローラ。
【請求項５】
前記送信モジュールが、ローカル位置決めデータベース（LPD）またはクラウド位置決めデータベース（CPD）に第1の位置情報問合せ要求を送信するようにさらに構成され、前記第1の位置情報問合せ要求が、前記第1の端末デバイスの短時間位置情報および短時間軌跡情報または長時間位置情報および長時間軌跡情報を問い合わせるための命令情報を備え、前記LPDが、前記第1の端末デバイスの前記短時間位置情報および前記短時間軌跡情報を格納するように構成され、前記CPDが、前記第1の端末デバイスの前記長時間位置情報および前記長時間軌跡情報を格納するように構成され、
前記受信モジュールが、前記LPDによって送信された前記第1の端末デバイスの前記短時間位置情報および前記短時間軌跡情報、または前記CPDによって送信された前記第1の端末デバイスの前記長時間位置情報および前記長時間軌跡情報を受信するようにさらに構成され、前記第1の端末デバイスの前記短時間位置情報および前記短時間軌跡情報または前記長時間位置情報および前記長時間軌跡情報が、前記第1の端末デバイスの前記位置情報を取得する際に前記処理モジュールを支援するために使用される、
請求項1に記載のシングル位置決めコントローラ。
【請求項６】
前記送信モジュールが、前記処理モジュールによって取得された前記第1の端末デバイスの前記位置情報を前記LPDまたは前記CPDに送信するようにさらに構成される、請求項5に記載のシングル位置決めコントローラ。
【請求項７】
前記受信モジュールが、ドライブテストの最小化MDTエンティティによって送信された第2の位置情報問合せ要求を受信するようにさらに構成され、前記第2の位置情報問合せ要求が、前記第1の端末デバイスに問い合わせるための位置情報、および前記第1の端末デバイスの前記位置情報と結び付けられたタイムスタンプ情報を備え、
前記送信モジュールが、前記第1の端末デバイスの前記位置情報、および前記第1の端末デバイスの前記位置情報と結び付けられた前記タイムスタンプ情報を前記MDTエンティティに送信するようにさらに構成される、
請求項1に記載のシングル位置決めコントローラ。
【請求項８】
シングル位置決めコントローラ（SPC）と、ローカル位置決めデータベース（LPD）と、クラウド位置決めデータベース（CPD）とを備える位置決め制御システムであって、
前記SPCが、
第1のアクセスネットワークノードに、または前記第1のアクセスネットワークノードを使用して第1の端末デバイスに、少なくとも1つのワイヤレス位置決め方法に基づく第1の位置決め測定要求を送信するように構成された送信モジュールであって、前記第1の位置決め測定要求が、前記第1の端末デバイスに対して位置決め測定を実行するための命令情報を備え、前記第1のアクセスネットワークノードが、少なくとも1つの無線アクセス技術の少なくとも1つのアクセスネットワークノードを備える、送信モジュールと、
前記第1のアクセスネットワークノードによって送信されるか、または前記第1のアクセスネットワークノードを使用して前記第1の端末デバイスによって送信された、前記第1の端末デバイスに関する少なくとも1つの第1の位置決め測定結果を受信するように構成された受信モジュールであって、各々の第1の位置決め測定結果が1つのワイヤレス位置決め方法に対応する、受信モジュールと、
前記少なくとも1つの第1の位置決め測定結果に対して融合計算を実行して、前記第1の端末デバイスの位置情報を取得するように構成された処理モジュールと
を備え、
前記送信モジュールが、前記処理モジュールによって取得された前記第1の端末デバイスの前記位置情報を前記LPDまたは前記CPDに送信するようにさらに構成され、前記LPDが、前記SPCによって送信された前記第1の端末デバイスの短時間位置情報および短時間軌跡情報を格納するように構成され、前記CPDが、前記第1の端末デバイスの長時間位置情報および長時間軌跡情報を格納するように構成される、
位置決め制御システム。
【請求項９】
前記送信モジュールが、前記第1のアクセスネットワークノードに位置決め信号構成要求を送信するようにさらに構成され、前記位置決め信号構成要求が、以下の情報：位置決め信号の周波数領域位置構成情報、前記位置決め信号の時間領域位置構成情報、前記位置決め信号の周期構成情報、前記位置決め信号の電力構成情報、および位置決め信号サブフレーム内のサービス信号の構成情報のうちの少なくとも1つを備え、
前記受信モジュールが、前記第1のアクセスネットワークノードによって送信された位置決め信号構成フィードバックを受信するようにさらに構成される、
請求項8に記載の位置決め制御システム。
【請求項１０】
前記送信モジュールが、前記第1のアクセスネットワークノードに、または前記第1のアクセスネットワークノードを使用して前記第1の端末デバイスに、基準信号構成状態問合せを送信するようにさらに構成され、前記基準信号構成状態問合せが、前記第1のアクセスネットワークノードまたは前記第1の端末デバイスによって構成された基準信号を問い合わせるために使用され、
前記受信モジュールが、前記第1のアクセスネットワークノードによって送信されるか、または前記第1のアクセスネットワークノードを使用して前記第1の端末デバイスによって送信された、基準信号構成状態応答を受信するようにさらに構成され、前記基準信号構成状態応答が、前記第1のアクセスネットワークノードまたは前記第1の端末デバイスによって構成された前記基準信号を備える、
請求項8に記載の位置決め制御システム。
【請求項１１】
前記送信モジュールが、前記第1のアクセスネットワークノードに干渉調整構成要求を送信するようにさらに構成され、前記干渉調整構成要求が、前記第1のアクセスネットワークノード用の方式を使用して位置決め信号リソースを構成するために使用され、
前記受信モジュールが、前記第1のアクセスネットワークノードによって送信された干渉調整構成応答を受信するようにさらに構成される、
請求項8に記載の位置決め制御システム。
【請求項１２】
前記受信モジュールが、前記第1のアクセスネットワークノードに、または前記第1のアクセスネットワークノードを使用して前記第1の端末デバイスに、前記少なくとも1つのワイヤレス位置決め方法に基づく前記第1の位置決め測定要求を送信する前に、前記第1のアクセスネットワークノードによって送信された端末デバイス位置情報要求を受信するようにさらに構成され、前記端末デバイス位置情報要求が、前記第1の端末デバイスの前記位置情報を要求するために使用される、請求項8に記載の位置決め制御システム。
【請求項１３】
前記送信モジュールが、前記LPDまたは前記CPDに第1の位置情報問合せ要求を送信するようにさらに構成され、前記第1の位置情報問合せ要求が、前記第1の端末デバイスの前記短時間位置情報および前記短時間軌跡情報または前記長時間位置情報および前記長時間軌跡情報を問い合わせるための命令情報を備え、
前記受信モジュールが、前記LPDによって送信された前記第1の端末デバイスの前記短時間位置情報および前記短時間軌跡情報、または前記CPDによって送信された前記第1の端末デバイスの前記長時間位置情報および前記長時間軌跡情報を受信するようにさらに構成され、前記第1の端末デバイスの前記短時間位置情報および前記短時間軌跡情報または前記長時間位置情報および前記長時間軌跡情報が、前記第1の端末デバイスの前記位置情報を取得する際に前記処理モジュールを支援するために使用される、
請求項8に記載の位置決め制御システム。
【請求項１４】
前記受信モジュールが、ドライブテストの最小化MDTエンティティによって送信された第2の位置情報問合せ要求を受信するようにさらに構成され、前記第2の位置情報問合せ要求が、前記第1の端末デバイスに問い合わせるための位置情報、および前記第1の端末デバイスの前記位置情報と結び付けられたタイムスタンプ情報を備え、
前記送信モジュールが、前記第1の端末デバイスの前記位置情報、および前記第1の端末デバイスの前記位置情報と結び付けられた前記タイムスタンプ情報を前記MDTエンティティに送信するようにさらに構成される、
請求項8に記載の位置決め制御システム。
【請求項１５】
第1のアクセスネットワークノードに位置決め信号構成要求を送信するステップあって、前記位置決め信号構成要求が、以下の情報：位置決め信号の周波数領域位置構成情報、前記位置決め信号の時間領域位置構成情報、前記位置決め信号の周期構成情報、前記位置決め信号の電力構成情報、または位置決め信号サブフレーム内のサービス信号の構成情報のうちの少なくとも1つを備える、ステップと、
前記第1のアクセスネットワークノードによって送信された位置決め信号構成フィードバックを受信するステップと、
前記第1のアクセスネットワークノードに、または前記第1のアクセスネットワークノードを使用して第1の端末デバイスに、少なくとも1つのワイヤレス位置決め方法に基づく第1の位置決め測定要求を送信するステップであって、前記第1の位置決め測定要求が、前記第1の端末デバイスに対して位置決め測定を実行するための命令情報を備え、前記第1のアクセスネットワークノードが、少なくとも1つの無線アクセス技術の少なくとも1つのアクセスネットワークノードを備える、ステップと、
前記第1のアクセスネットワークノードによって送信されるか、または前記第1のアクセスネットワークノードを使用して前記第1の端末デバイスによって送信された、前記第1の端末デバイスに関する少なくとも1つの第1の位置決め測定結果を受信するステップであって、各々の第1の位置決め測定結果が1つのワイヤレス位置決め方法に対応する、ステップと、
前記少なくとも1つの第1の位置決め測定結果に対して融合計算を実行して、前記第1の端末デバイスの位置情報を取得するステップと
を備える、制御方法。
【請求項１６】
コンピュータが請求項15のステップを実行するようにする、プログラム。
【請求項１７】
プログラムがプロセッサによって実行されると請求項15のステップが実行されることを特徴とする、プログラムを記憶する、コンピュータ可読記憶媒体。
【手続補正２】
【補正対象書類名】明細書
【補正対象項目名】０００３
【補正方法】変更
【補正の内容】
【０００３】
ロングタームエボリューション（LTE）システムで使用される端末位置決め方式には、主に以下のタイプ：ネットワーク支援グローバルナビゲーション衛星システム（GNSS）位置決め、観測到着時間差（OTDOA）位置決めなどのダウンリンク位置決め、拡張セル識別情報（e−CID）位置決め、およびアップリンク到着時間差（UTDOA）位置決めなどのアップリンク位置決めが含まれる。LTEシステムで使用される端末位置決めアルゴリズムの場合、通常、端末と基地局との間の電波伝搬信号の特徴パラメータ（信号電界強度、伝搬信号の到着時間差、信号の到着方向角など）が検出されてもよく、次いで、関連する位置決めアルゴリズムに基づいてモバイル端末の幾何学的位置が推定されてもよい。
【手続補正３】
【補正対象書類名】明細書
【補正対象項目名】０００５
【補正方法】変更
【補正の内容】
【０００５】
位置決め技術は多様なので、位置決め技術に適用されるワイヤレスアクセス技術も多様であり、たとえば、LTEシステムにおける位置決め、ユニバーサルモバイルテレコミュニケーションシステム（UMTS）システムで使用される位置決め技術、およびワイヤレスフィデリティ（WiFi）の位置決め技術がある。しかしながら、1つの技術では、複雑なワイヤレス環境に完全に適応することができず、シームレスな位置決めサービスカバレッジを実現することができない。さらに、位置決め精度改善の観点から、単一のワイヤレス技術の改善効果には限界がある。
【手続補正４】
【補正対象書類名】明細書
【補正対象項目名】０００６
【補正方法】変更
【補正の内容】
【０００６】
加えて、現在の位置決め技術では、拡張サービングモバイルロケーションセンタ（E−SMLC）はコアネットワーク側に構成されているので、位置決め測定および位置決め情報対話の遅延は比較的大きい。これは、いくつかの遅延に敏感な位置決めサービスには受け入れられない。
【手続補正５】
【補正対象書類名】明細書
【補正対象項目名】０００８
【補正方法】変更
【補正の内容】
【０００８】
第1の態様によれば、
第1のアクセスネットワークノードに位置決め信号構成要求を送信するように構成された送信モジュールであって、位置決め信号構成要求が、以下の情報：位置決め信号の周波数領域位置構成情報、位置決め信号の時間領域位置構成情報、位置決め信号の周期構成情報、位置決め信号の電力構成情報、および位置決め信号サブフレーム内のサービス信号の構成情報のうちの少なくとも1つを含む、送信モジュールと、
第1のアクセスネットワークノードによって送信された位置決め信号構成フィードバックを受信するように構成された受信モジュールであって、
送信モジュールが、第1のアクセスネットワークノードに、または第1のアクセスネットワークノードを使用して第1の端末デバイスに、少なくとも1つのワイヤレス位置決め方法に基づく第1の位置決め測定要求を送信するようにさらに構成され、第1の位置決め測定要求が、第1の端末デバイスに対して位置決め測定を実行するための命令情報を含み、第1のアクセスネットワークノードが、少なくとも1つの無線アクセス技術の少なくとも1つのアクセスネットワークノードを含み、
受信モジュールが、第1のアクセスネットワークノードによって送信されるか、または第1のアクセスネットワークノードを使用して第1の端末デバイスによって送信された、第1の端末デバイスに関する少なくとも1つの第1の位置決め測定結果を受信するようにさらに構成され、各々の第1の位置決め測定結果が1つのワイヤレス位置決め方法に対応する、
受信モジュールと、
少なくとも1つの第1の位置決め測定結果に対して融合計算を実行して、第1の端末デバイスの位置情報を取得するように構成された処理モジュールと
を含む、シングル位置決めコントローラが提供される。
【手続補正６】
【補正対象書類名】明細書
【補正対象項目名】００１１
【補正方法】変更
【補正の内容】
【００１１】
第2の態様によれば、SPC、LPD、およびCPDを含む位置決め制御システムが提供され、
SPCは、
第1のアクセスネットワークノードに、または第1のアクセスネットワークノードを使用して第1の端末デバイスに、少なくとも1つのワイヤレス位置決め方法に基づく第1の位置決め測定要求を送信するように構成された送信モジュールであって、第1の位置決め測定要求が、第1の端末デバイスに対して位置決め測定を実行するための命令情報を含み、第1のアクセスネットワークノードが、少なくとも1つの無線アクセス技術の少なくとも1つのアクセスネットワークノードを含む、送信モジュールと、
第1のアクセスネットワークノードによって送信されるか、または第1のアクセスネットワークノードを使用して第1の端末デバイスによって送信された、第1の端末デバイスに関する少なくとも1つの第1の位置決め測定結果を受信するように構成された受信モジュールであって、各々の第1の位置決め測定結果が1つのワイヤレス位置決め方法に対応する、受信モジュールと
少なくとも1つの第1の位置決め測定結果に対して融合計算を実行して、第1の端末デバイスの位置情報を取得するように構成された処理モジュールと
を含み、
送信モジュールは、処理モジュールによって取得された第1の端末デバイスの位置情報をLPDまたはCPDに送信するようにさらに構成され、LPDは、SPCによって送信された第1の端末デバイスの短時間位置情報および短時間軌跡情報を格納するように構成され、CPDは、第1の端末デバイスの長時間位置情報および長時間軌跡情報を格納するように構成される。
【手続補正７】
【補正対象書類名】明細書
【補正対象項目名】００２４
【補正方法】変更
【補正の内容】
【００２４】
本発明の実施形態において提供されるシングル位置決めコントローラおよび位置決め制御システムによれば、少なくとも1つのワイヤレス位置決め方法に基づく第1の位置決め測定要求が、第1のアクセスネットワークノードに、または第1のアクセスネットワークノードを使用して第1の端末デバイスに送信され、第1のアクセスネットワークノードによって送信されるか、または第1のアクセスネットワークノードを使用して第1の端末デバイスによって送信された、第1の端末デバイスに関する少なくとも1つの第1の位置決め測定結果が受信され、次いで、第1の端末デバイスの位置情報を取得するために、少なくとも1つの第1の位置決め測定結果に対して融合計算が実行される。第1の端末デバイスの位置情報は、少なくとも1つのワイヤレス位置決め方法に基づく少なくとも1つの第1の位置決め測定結果に対して融合演算を実行することによって取得されるので、第1の端末デバイスの位置情報を取得する間に、すべての位置決め方法の利点が利用され、その結果、第1の端末デバイスのより正確な位置情報が取得され、位置決め処理の遅延が低減される。
【手続補正８】
【補正対象書類名】明細書
【補正対象項目名】００２６
【補正方法】変更
【補正の内容】
【００２６】
【図１】モバイルネットワークの位置決めアーキテクチャの概略図である。
【図２】本発明の一実施形態による、シングル位置決めコントローラの概略構造図である。
【図３】本発明の一実施形態による、位置決め制御システムの概略構造図である。
【図４】SPCとアクセスネットワークノードとの間の位置決め信号構成対話のフローチャートである。
【図５】SPCとアクセスネットワークノードとの間の位置決め測定メッセージ対話のフローチャートである。
【図６】SPCとアクセスネットワークノードとの間の基準信号構成情報対話のフローチャートである。
【図７】SPCとアクセスネットワークノードとの間の干渉調整対話のフローチャートである。
【図８】SPCとアクセスネットワークノードとの間の端末位置情報取得対話のフローチャートである。
【図９】SPCと端末デバイスとの間の測定対話のフローチャートである。
【図１０】SPCと端末デバイスとの間の基準信号構成情報対話のフローチャートである。
【図１１】SPCと端末デバイスとの間のOTT情報および端末モード情報の対話のフローチャートである。
【図１２】SPCとLPDとの間の短時間の位置決め情報および軌跡情報の対話のフローチャートである。
【図１３】SPCとCPDとの間の端末位置決め結果対話のフローチャートである。
【図１４】LPDとCPDとの間の短時間の位置決め情報および軌跡情報の対話のフローチャートである。
【図１５】LPDとCPDとの間の短時間の位置決め情報および軌跡情報の対話のフローチャートである。
【図１６】SPCとSRCとの間の位置決め構成情報対話のフローチャートである。
【図１７】SPCとMDTエンティティとの間の位置決め情報対話のフローチャートである。
【図１８】LPDとMDTエンティティとの間の位置決め情報対話のフローチャートである。
【手続補正９】
【補正対象書類名】明細書
【補正対象項目名】００２８
【補正方法】変更
【補正の内容】
【００２８】
モバイル通信用グローバルシステム（GSM(登録商標)）、UMTS、およびLTEなどの複数のモバイルネットワーク規格は、LTEシステムの進化プロセスにおいて共存する。様々な規格のモバイルネットワークは、独立したアクセスネットワーク、たとえば、モバイル通信用グローバルシステム／GSM(登録商標)エボリューション用拡張データレート無線アクセスネットワーク（GERAN）、UMTS無線アクセスネットワーク（UTRAN）、および発展型UMTS無線アクセスネットワーク（E−UTRAN）などの比較的独立したネットワークアーキテクチャを有する。
【手続補正１０】
【補正対象書類名】明細書
【補正対象項目名】００２９
【補正方法】変更
【補正の内容】
【００２９】
ネットワークがLTEシステムに進化すると、様々な規格のネットワークリソースが一緒に統合される。したがって、いくつかのネットワーク機能は、様々な規格のネットワークによってコアネットワーク側で共有される。たとえば、位置決め機能はネットワークによって共有され、様々な規格のすべてのネットワークの場合、コアネットワーク側に配置されたゲートウェイモバイルロケーションセンタ（GMLC）を使用することにより、端末に対する位置決めが実現される必要がある。しかしながら、様々な規格のネットワークに使用される具体的な位置決め方法は異なる。
【手続補正１１】
【補正対象書類名】明細書
【補正対象項目名】００３０
【補正方法】変更
【補正の内容】
【００３０】
図1は、モバイルネットワークの位置決めアーキテクチャの概略図である。図1では、ユーザ機器（UE）は、同時に3つのアクセスネットワーク：GERAN、UTRAN、およびE−UTRANのカバレッジエリア内に位置する。各アクセスネットワークでは、UEに対する位置決めは、それぞれのネットワーク要素とGMLCとの間の対話を介して実施される。
【手続補正１２】
【補正対象書類名】明細書
【補正対象項目名】００３１
【補正方法】変更
【補正の内容】
【００３１】
ネットワーク要素の接続関係が図に示されている。GERANおよびUTRANは、各々対応するモバイル切替えセンタ（MSC）およびサービングGPRSサポートノード（SGSN）を有し、GERANは第2世代（2G）−MSCおよび2G−SGSNに対応し、UTRANは第3世代（3G）−MSCおよび3G−SGSNに対応する。GERANおよびUTRANでは、UEに対する位置決めは、GMLCとGERANおよびUTRANに対応するMSCおよびSGSNとの間の対話を介して実施される。E−UTRANでは、モビリティ管理エンティティ（MME）とGMLCとの間で対話が実行される。
【手続補正１３】
【補正対象書類名】明細書
【補正対象項目名】００３２
【補正方法】変更
【補正の内容】
【００３２】
端末に対する位置決めを実施するために、GMLCはさらに、位置検索機能エンティティ（LRF）、緊急通話セッション制御機能（E−CSCF）、プライベートプロファイルレジスタ（PPR）、ホーム加入者サーバ（HSS）、物理媒体依存（PMD）レイヤインターフェース、位置IMS相互作用機能（LIMS−IWF）、オープンサービスアクセス位置サービス（OSA−LCS）、GSM(登録商標)サービス制御機能（GSM(登録商標) SCF）、外部位置サービスクライアント（External LCS client）などのネットワーク要素と対話する必要がある。
【手続補正１４】
【補正対象書類名】明細書
【補正対象項目名】００３３
【補正方法】変更
【補正の内容】
【００３３】
しかしながら、端末に対する位置決め中にアクセスネットワークに様々な位置決め技術が使用され、各アクセスネットワークは独立した位置決めネットワーク要素を有する。LTEシステムが一例として使用される。MMEに接続された拡張サービングモバイルロケーションセンタ（E−SMLC）は、サービス位置プロトコル（SLP）エンティティを使用することにより、E−UTRANにアクセスする端末に対して位置決めを実装する。
【手続補正１５】
【補正対象書類名】明細書
【補正対象項目名】００３７
【補正方法】変更
【補正の内容】
【００３７】
これに鑑みて、本発明の一実施形態は、シングル位置決めコントローラ（SPC）を提供する。シングル位置決めコントローラは、ワイヤレスネットワーク位置決めを実施するように構成される。加えて、シングル位置決めコントローラは、様々なアクセスネットワーク規格と互換性があり、様々なワイヤレス位置決め技術を包括的に利用する。
【手続補正１６】
【補正対象書類名】明細書
【補正対象項目名】００３８
【補正方法】変更
【補正の内容】
【００３８】
図2は、本発明の一実施形態による、シングル位置決めコントローラの概略構造図である。図2に示されたように、シングル位置決めコントローラは、送信モジュール21と、受信モジュール22と、処理モジュール23とを含む。
【手続補正１７】
【補正対象書類名】明細書
【補正対象項目名】００３９
【補正方法】変更
【補正の内容】
【００３９】
送信モジュール21は、第1のアクセスネットワークノードに、または第1のアクセスネットワークノードを使用して第1の端末デバイスに、少なくとも1つのワイヤレス位置決め方法に基づく第1の位置決め測定要求を送信するように構成され、第1の位置決め測定要求は、第1の端末デバイスに対して位置決め測定を実行するための命令情報を含み、第1のアクセスネットワークノードは、少なくとも1つの無線アクセス技術の少なくとも1つのアクセスネットワークノードを含む。
【手続補正１８】
【補正対象書類名】明細書
【補正対象項目名】００４２
【補正方法】変更
【補正の内容】
【００４２】
様々なタイプのアクセスネットワークに適用される位置決め方法は異なる。したがって、第1のアクセスネットワークノードに第1の位置決め測定要求を送信する間、送信モジュール21は、第1のアクセスネットワークノードのネットワークタイプに基づいて第1のアクセスネットワークノードに、第1のアクセスネットワークノードのネットワークタイプに対応する位置決定方法が適用される第1の位置決め測定要求を送信する必要がある。第1の端末デバイスの場合、送信モジュール21は、第1の端末デバイスがアクセスするネットワークのアクセスネットワークタイプに基づいて第1の端末デバイスに、第1の端末デバイスがアクセスするネットワークのタイプに対応する位置決め方法が適用される第1の位置決め測定要求を送信することもできる。要するに、送信モジュール21によって第1のアクセスネットワークノードまたは第1の端末デバイスに送信される各々の第1の位置決め測定要求は、第1の端末デバイスに対する位置決め測定を独立して実施するために使用されることが可能である必要がある。
【手続補正１９】
【補正対象書類名】明細書
【補正対象項目名】００４３
【補正方法】変更
【補正の内容】
【００４３】
第1のアクセスネットワークノードは、端末アクセス能力を有する任意のアクセスネットワークノード、たとえば、様々な規格のネットワーク上の基地局、マイクロ基地局、およびリモート無線ユニット、またはWiFiにおけるアクセスポイント（AP）であってもよいことに留意されたい。
【手続補正２０】
【補正対象書類名】明細書
【補正対象項目名】００４５
【補正方法】変更
【補正の内容】
【００４５】
具体的には、第1のアクセスネットワークノードまたは第1の端末デバイスが第1の位置決め測定要求を受信した後、シングル位置決めコントローラの受信モジュール22は、第1の位置決め測定要求に対応し、第1のアクセスネットワークノードまたは第1の端末デバイスによって送信された測定結果を受信する。測定結果は、第1の位置決め測定要求に応じて、第1のアクセスネットワークノードまたは第1の端末デバイスによる測定を介して直接取得された、第1の端末デバイスの位置情報であってもよい。あるいは、測定結果は、位置決め測定を実行するためにシングル位置決めコントローラによって必要とされ、第1のアクセスネットワークノードまたは第1の端末デバイスが第1の位置決め測定要求を受信した後、第1のアクセスネットワークノードまたは第1の端末デバイスによってフィードバックされた情報であってもよい。
【手続補正２１】
【補正対象書類名】明細書
【補正対象項目名】００５１
【補正方法】変更
【補正の内容】
【００５１】
具体的には、第1の端末デバイスの位置情報を取得するために、本発明のこの実施形態において提供されるシングル位置決めコントローラは、第1のアクセスネットワークノードに、または第1のアクセスネットワークノードを使用して第1の端末デバイスに、第1の位置決め測定要求を送信し、第1の位置決め測定結果を受信する必要がある。第1の位置決め測定要求と第1の位置決め測定結果の両方は、新しく定義された情報である。タイムリーかつ正確な位置決めを保証するために、第1の位置決め測定要求および第1の位置決め測定結果に対して、対応する通信リソースが構成される必要がある。したがって、シングル位置決めコントローラ内の送信モジュール21が第1の位置決め測定要求を送信する前に、送信モジュール21はさらに、第1の位置決め測定要求および第1の位置決め測定結果を送信するために必要なリソース構成情報を第1のアクセスネットワークノードに通知する必要がある。リソース構成情報を受信した後、第1のアクセスネットワークノードは、対応するリソース上で、第1の位置決め測定要求を受信するか、または第1の位置決め測定結果を送信することができる。第1の位置決め測定要求および第1の位置決め測定結果は位置決め信号と総称され、位置決め信号構成要求は、以下の情報：（位置決め信号がマッピングされる特定の周波数領域リソースを示すための）位置決め信号の周波数領域位置構成情報、（位置決め信号がマッピングされる特定の時間領域リソースを示すための）位置決め信号の時間領域位置構成情報、位置決め信号の周期構成情報、位置決め信号の電力構成情報、および（位置決め信号サブフレーム内の共通サービス信号の時間周波数領域リソース占有を示すための）位置決め信号サブフレーム内のサービス信号の構成情報のうちの少なくとも1つまたは複数を含む。第1のアクセスネットワークノードが位置決め信号構成要求を受信した後、受信モジュール22は、第1のアクセスネットワークノードによって送信された位置決め信号構成フィードバックをさらに受信する。この場合、シングル位置決めコントローラは、第1のアクセスネットワークノードが位置決め信号構成情報を知ったと判断することができる。
【手続補正２２】
【補正対象書類名】明細書
【補正対象項目名】００５２
【補正方法】変更
【補正の内容】
【００５２】
この実施形態において提供されるシングル位置決めコントローラによれば、少なくとも1つのワイヤレス位置決め方法に基づく第1の位置決め測定要求が、第1のアクセスネットワークノードに、または第1のアクセスネットワークノードを使用して第1の端末デバイスに送信され、第1のアクセスネットワークノードによって送信されるか、または第1のアクセスネットワークノードを使用して第1の端末デバイスによって送信された、第1の端末デバイスに関する少なくとも1つの第1の位置決め測定結果が受信され、次いで、第1の端末デバイスの位置情報を取得するために、少なくとも1つの第1の位置決め測定結果に対して融合計算が実行される。第1の端末デバイスの位置情報は、少なくとも1つのワイヤレス位置決め方法に基づく少なくとも1つの第1の位置決め測定結果に対して融合演算を実行することによって取得されるので、第1の端末デバイスの位置情報を取得する間に、すべての位置決め方法の利点が利用され、その結果、第1の端末デバイスのより正確な位置情報が取得され、位置決め処理の遅延が低減される。
【手続補正２３】
【補正対象書類名】明細書
【補正対象項目名】００６０
【補正方法】変更
【補正の内容】
【００６０】
図2に示された実施形態に基づいて、送信モジュール21は、第1のアクセスネットワークノードを使用して第1の端末デバイスに、オーバーザトップ（OTT）情報および端末モード情報の要求を送信するようにさらに構成され、受信モジュール22は、第1のアクセスネットワークノードを使用して第1の端末デバイスによって送信された、OTT情報および端末モード情報のフィードバックを受信するようにさらに構成される。
【手続補正２４】
【補正対象書類名】明細書
【補正対象項目名】００６１
【補正方法】変更
【補正の内容】
【００６１】
具体的には、OTT情報は、インターネットを介してユーザに提供される様々なアプリケーションサービスである。一般に、OTT情報は、端末アプリケーション（APP）内の撮影画像などの情報である。端末モード情報は、端末ヒューマンマシンインターフェースの高速レールモードなどの指定されたモード情報である。位置決めプロセスでは、様々なモードの端末が位置決め結果に影響を与えるので、シングル位置決めコントローラは、端末の端末モード情報を取得することができる。多くの現在の端末デバイスは、各々GPSなどの独立した位置決めモジュールを有しているので、シングル位置決めコントローラは、OTT情報を使用して端末の別の位置情報をさらに取得することができる。OTT情報を使用して取得された端末デバイスの前述の位置情報は、端末の別の位置情報とともに融合計算を実行するために使用されてもよく、それにより、端末デバイスの位置決め精度がさらに改善される。
【手続補正２５】
【補正対象書類名】明細書
【補正対象項目名】００６２
【補正方法】変更
【補正の内容】
【００６２】
図2に示されたシングル位置決めコントローラを使用することにより、端末に対して実行される位置決めの間、大量のプロセスデータが格納される必要がある。位置決め遅延を低減し、位置決めに必要なデータトラフィックを減少させるために、位置決めデータを格納するように、対応するデータベースがシステム内にさらに構成されてもよい。本発明の一実施形態では、ローカル位置決めデータベース（LPD）およびクラウド位置決めデータベース（CPD）の概念が提案される。SPC、LPD、およびCPDは、ともに位置決め制御システムを形成する。
【手続補正２６】
【補正対象書類名】明細書
【補正対象項目名】００６４
【補正方法】変更
【補正の内容】
【００６４】
LPD32は、アクセスネットワーク側に配置され、端末デバイスの短時間位置情報および短時間軌跡情報を格納するように構成される。CPD33は、コアネットワーク側に配置され、端末デバイスの長時間位置情報および長時間軌跡情報を格納するように構成される。端末デバイスに対する位置決めに必要な時間を短縮し、位置決め精度を改善するために、SPC31が端末デバイスに対して位置決めを実行した後はいつも、端末デバイスの位置情報がLPD32に格納されてもよく、またはSPC31は、ネットワーク上の端末デバイスの情報を周期的に収集し、収集された位置情報をLPD32に格納してもよい。全時点における端末デバイスの位置情報は、端末デバイスの軌跡情報を形成する。事前設定された時間期間の後、または特定の数の位置情報を収集した後、LPD32は端末デバイスの位置情報をCPD33に送信し、CPD33は受信された端末デバイスの位置情報を格納する。LPD32は、最新の期間に取得された端末デバイスの位置情報および軌跡情報を格納するように構成されるだけであり、最新の期間に取得された端末デバイスの位置情報および軌跡情報は、端末デバイスの短時間位置情報および短時間軌跡情報と呼ばれる。CPD33は、端末デバイスのすべての位置情報および軌跡情報を格納するように構成され、端末デバイスのすべての位置情報および軌跡情報は、端末デバイスの長時間位置情報および長時間軌跡情報と呼ばれる。LPD32は、SPC31の位置決め計算に使用され、移動軌跡、地理情報システム（Geographic Information SystemまたはGeo−Information System、GIS）、および速度情報に基づいて、位置決め結果を修正することができる。位置決め結果を取得した後、SPC31は、位置決め結果を出力して、LPD32を維持することもできる。CPD33は、ユーザの行動および習慣、ならびにサービスホットスポットに関する統計データを収集し、ビッグデータ分析を実行するように構成されてもよい。加えて、CPD33は、SPC31によって取得された位置決め情報の外部出口として使用される。
【手続補正２７】
【補正対象書類名】明細書
【補正対象項目名】００６５
【補正方法】変更
【補正の内容】
【００６５】
送信モジュール21は、LPD32またはCPD33に第1の位置情報問合せ要求を送信するように構成され、第1の位置情報問合せ要求は、第1の端末デバイスの短時間位置情報および短時間軌跡情報または長時間位置情報および長時間軌跡情報を問い合わせるための命令情報を含む。受信モジュール22は、LPD32によって送信された第1の端末デバイスの短時間位置情報および短時間軌跡情報、またはCPD33によって送信された第1の端末デバイスの長時間位置情報および長時間軌跡情報を受信するように構成され、第1の端末デバイスの短時間位置情報および短時間軌跡情報または長時間位置情報および長時間軌跡情報は、第1の端末デバイスの位置情報を取得する際に処理モジュールを支援するために使用される。
【手続補正２８】
【補正対象書類名】明細書
【補正対象項目名】００６８
【補正方法】変更
【補正の内容】
【００６８】
各アクセスネットワークはさらに、それぞれのシングルアクセスネットワークコントローラ（SRC）を有し、SRCは、アクセスネットワーク上のネットワーク要素デバイスおよびアクセスネットワークにアクセスする端末デバイスを管理および維持するように構成される。したがって、SPC31が端末デバイスの位置情報を取得した後、送信モジュール21は、SRCによって制御されるアクセスネットワークノード上の端末デバイスの位置情報をSRCに送信するようにさらに構成される。
【手続補正２９】
【補正対象書類名】明細書
【補正対象項目名】００７０
【補正方法】変更
【補正の内容】
【００７０】
ワイヤレス通信ネットワーク上で、ネットワークの性能をテストするために、ネットワークの様々なパラメータは、ドライブテスト方式でテストされる必要がある。ドライブテストは現場でネットワークを測定するためのテスト方法であり、ドライブテスト中、ネットワークのパラメータは、特定のライン上で連続してテストされる必要がある。ドライブテストの最小化（MDT）は、一般的なドライブテスト方法である。MDT中、MDTエンティティが測定に使用される。MDT測定中、各テストポイント上で測定が実行された後、各テストポイントの位置情報および時間情報がさらに取得された後にのみ、全体的な分析を介してネットワーク性能を取得することができる。
【手続補正３０】
【補正対象書類名】明細書
【補正対象項目名】００７１
【補正方法】変更
【補正の内容】
【００７１】
したがって、SPC31の受信モジュール22は、MDTエンティティによって送信された第2の位置情報問合せ要求を受信するようにさらに構成され、第2の位置情報問合せ要求は、第1の端末デバイスに問い合わせるための位置情報、および第1の端末デバイスの位置情報と結び付けられたタイムスタンプ情報を含み、送信モジュール21は、第1の端末デバイスの位置情報、および第1の端末デバイスの位置情報と結び付けられたタイムスタンプ情報をMDTエンティティに送信するようにさらに構成される。
【手続補正３１】
【補正対象書類名】明細書
【補正対象項目名】００７２
【補正方法】変更
【補正の内容】
【００７２】
図3に示された実施形態では、LPD32は、第1の端末デバイスの短時間位置情報および短時間軌跡情報をCPD33に送信するようにさらに構成され、CPD33は、第1の端末デバイスの短時間位置情報および短時間軌跡情報に基づいて、第1の端末デバイスの長時間位置情報および長時間軌跡情報を更新するようにさらに構成される。言い換えれば、LPD32は、格納された第1の端末デバイスの短時間位置情報および短時間軌跡情報をCPD33に送信することができ、この送信プロセスは周期的なプロセスであってもよく、または、データ量が特定のしきい値に達したことをLPD32が検出したときに、第1の端末デバイスの短時間位置情報および短時間軌跡情報が送信されてもよい。CPD33の第1の端末デバイスの長時間位置情報および長時間軌跡情報は、LPD32によって送信された第1の端末デバイスの短時間位置情報および短時間軌跡情報に基づいて更新される。
【手続補正３２】
【補正対象書類名】明細書
【補正対象項目名】００７３
【補正方法】変更
【補正の内容】
【００７３】
加えて、CPD33はさらに、第1の端末デバイスの短時間位置情報および短時間軌跡情報を送信するように、LPD32に積極的に要求することができる。この場合、CPD33は、短時間位置情報および短時間軌跡情報の問合せ要求をLPD32に送信するようにさらに構成される。短時間位置情報および短時間軌跡情報の問合せ要求を受信した後、LPD32は、第1の端末デバイスの短時間位置情報および短時間軌跡情報をCPD33に送信する。
【手続補正３３】
【補正対象書類名】明細書
【補正対象項目名】００７８
【補正方法】変更
【補正の内容】
【００７８】
図4は、SPCとアクセスネットワークノードとの間の位置決め信号構成対話のフローチャートである。図4に示されたように、ステップS401において、SPCは、アクセスネットワークノードに位置決め信号構成要求を送信する。位置決め信号構成要求は、以下の内容：（位置決め信号がマッピングされる特定の周波数領域リソースを示すための）位置決め信号の周波数領域位置構成、（位置決め信号がマッピングされる特定の時間領域リソースを示すための）位置決め信号の時間領域位置構成、位置決め信号の周期構成、位置決め信号の電力構成、および（位置決め信号サブフレーム内の共通サービス信号の時間周波数領域リソース占有を示すための）位置決め信号サブフレーム内のサービス信号の構成のうちの1つまたは複数を含んでもよい。ステップS402において、アクセスネットワークノードは、位置決め信号構成要求に応答して、1つの確認応答情報をSPCにフィードバックする。
【手続補正３４】
【補正対象書類名】明細書
【補正対象項目名】００７９
【補正方法】変更
【補正の内容】
【００７９】
図5は、SPCとアクセスネットワークノードとの間の位置決め測定メッセージ対話のフローチャートである。図5に示されたように、ステップS501において、SPCは、ネットワーク側で測定を実行すること、たとえば、到着角（AoA）測定またはRx−Tx時間差（Rx−Tx）測定を実行することをアクセスネットワークノードに要求するために、アクセスネットワークノードに位置決め測定要求を送信する。ステップS502において、アクセスネットワークノードは位置決め測定結果をSPCに送信する。
【手続補正３５】
【補正対象書類名】明細書
【補正対象項目名】００８３
【補正方法】変更
【補正の内容】
【００８３】
図9は、SPCと端末デバイスとの間の測定対話のフローチャートである。図9に示されたように、ステップS901において、SPCは、端末側の到着時刻（ToA）測定もしくはRx−Tx測定、または基準信号時間差（RSTD）測定などの位置決め測定を実行するように端末に要求するために、端末に位置決め測定要求を送信する。ステップS902において、端末デバイスは位置決め測定報告をSPCに送信する。
【手続補正３６】
【補正対象書類名】明細書
【補正対象項目名】００８６
【補正方法】変更
【補正の内容】
【００８６】
図12は、SPCとLPDとの間の短時間の位置決め情報および軌跡情報の対話のフローチャートである。図12に示されたように、ステップS1201において、SPCは、ターゲット端末の短時間の位置決め情報および軌跡情報をSPCに通知するように、LPDに要求する。ここでの短時間の位置決め情報および軌跡情報は、過去の時間期間内の端末の位置情報（数分または数時間の位置情報であってもよい）および端末の移動軌跡情報である。ステップS1202において、LPDは、ターゲット端末の短時間の位置決め情報および軌跡情報をSPCに送信する。ステップS1203において、SPCは、端末位置を計算し、LPDの端末位置データベースを維持するために、ターゲット端末の最終位置決め結果情報をLPDに出力する。SPCによってLPDに送信される信号は、以下の情報：端末デバイスの2次元または3次元の位置決め結果、タイムスタンプとみなすことができる位置決め結果の更新時刻、端末デバイスの速度、および位置決め精度識別子のうちの1つまたは複数を含むが、それらに限定されない。
【手続補正３７】
【補正対象書類名】明細書
【補正対象項目名】００９３
【補正方法】変更
【補正の内容】
【００９３】
図17は、SPCとMDTエンティティとの間の位置決め情報対話のフローチャートである。図17に示されたように、ステップS1701において、MDTエンティティは、端末の位置決め情報および位置決め情報と結び付けられたタイムスタンプ情報を出力するようにSPCに要求する。ステップS1702において、SPCは、端末の位置決め情報およびタイムスタンプ情報をMDTエンティティに出力する。
【手続補正３８】
【補正対象書類名】明細書
【補正対象項目名】００９４
【補正方法】変更
【補正の内容】
【００９４】
図18は、LPDとMDTエンティティとの間の位置決め情報対話のフローチャートである。図18に示されたように、ステップS1801において、MDTエンティティは、端末の短時間の位置決め情報および軌跡情報、ならびに位置決め情報と結び付けられたタイムスタンプ情報を出力するようにLPDに要求する。ステップS1802において、LPDは、端末の短時間の位置決め情報および軌跡情報、ならびに位置決め情報と結び付けられたタイムスタンプ情報をMDTエンティティに出力する。
【国際調査報告】
2019501591.tif 000021
2019501591.tif 000022
2019501591.tif 000023
2019501591.tif 000024